(57)【要約】  本出願の実施例はリンク再構成方法と端末装置を開示する。該方法は、第一の信号セットにおける信号の品質が第一の条件を満たすまで不良になっている場合、端末装置が第二の信号セットからターゲット信号を確定し、該ターゲット信号の品質が第二の条件を満たすまで良いことと、該端末装置が該第二の信号セットと物理ランダムアクセスチャネル（ＰＲＡＣＨ）シーケンス及び／又はリソースとの関連関係に基づいて、該ターゲット信号に対応するＰＲＡＣＨシーケンス及び／又はリソースを確定することと、該端末装置が該ターゲット信号に対応するＰＲＡＣＨシーケンス及び／又はリソースによって、該ネットワーク装置へ第一のリクエストを送信し、該第一のリクエストが、該端末装置によって選択された該ターゲット信号の情報を該ネットワーク装置に通知することに用いられることとを含む。本出願の実施例における方法と端末装置は、信号伝送性能を向上させることに役立つ。
2021516887.tif 000002
【特許請求の範囲】
【請求項１】
リンク再構成方法であって、
第一の信号セットにおける信号の品質が第一の条件を満たすまで不良になっている場合、端末装置が、第二の信号セットからターゲット信号を確定し、前記ターゲット信号の品質が第二の条件を満たすまで良いことと、
前記端末装置が、前記第二の信号セットと物理ランダムアクセスチャネル（ＰＲＡＣＨ）シーケンス及び／又はリソースとの関連関係に基づいて、前記ターゲット信号に対応するＰＲＡＣＨシーケンス及び／又はリソースを確定することと、
前記端末装置が、前記ターゲット信号に対応するＰＲＡＣＨシーケンス及び／又はリソースによって、前記ネットワーク装置へ第一のリクエストを送信し、前記第一のリクエストが、前記端末装置によって選択された前記ターゲット信号の情報を前記ネットワーク装置に通知することに用いられることとを含む、前記リンク再構成方法。
【請求項２】
前記ターゲット信号が、競争に基づくＰＲＡＣＨリソースのみに関連付けられ、前記端末装置が前記ターゲット信号に対応するＰＲＡＣＨシーケンス及び／又はリソースによって、前記ネットワーク装置へ第一のリクエストを送信することは、
前記端末装置が、前記ターゲット信号に対応する競争に基づくＰＲＡＣＨリソースによって、前記第一のリクエストを送信することを含むことを特徴とする
請求項１に記載の方法。
【請求項３】
前記ターゲット信号が非競争に基づくＰＲＡＣＨリソースのみに関連付けられ、前記端末装置が前記ターゲット信号に対応するＰＲＡＣＨリソースによって前記ネットワーク装置へ第一のリクエストを送信することは、
前記端末装置が、前記ターゲット信号に対応する非競争に基づくＰＲＡＣＨリソースによって前記第一のリクエストを送信することを含むことを特徴とする
請求項１に記載の方法。
【請求項４】
前記ターゲット信号が競争に基づくＰＲＡＣＨリソースに関連付けられ、且つ前記ターゲット信号が非競争に基づくＰＲＡＣＨリソースに関連付けられ、前記端末装置が前記ターゲット信号に対応するＰＲＡＣＨシーケンス及び／又はリソースによって、前記ネットワーク装置へ第一のリクエストを送信することは、
前記端末装置が、前記ターゲット信号に対応する競争に基づくＰＲＡＣＨリソース及び／又は前記ターゲット信号に対応する非競争に基づくＰＲＡＣＨリソースによって前記第一のリクエストを送信することを含むことを特徴とする
請求項１に記載の方法。
【請求項５】
前記端末装置が前記ターゲット信号に対応する競争に基づくＰＲＡＣＨリソース及び前記ターゲット信号に対応する非競争に基づくＰＲＡＣＨリソースによって前記第一のリクエストを送信することは、
前記端末装置が、前記ターゲット信号に対応する競争に基づくＰＲＡＣＨリソースによって、第一のリクエストを送信することと、
前記端末装置が第一の送信要求を満たし、且つ前記ネットワーク装置から送信された第一の応答を受信していない場合、前記端末装置が、前記ターゲット信号に対応する非競争に基づくＰＲＡＣＨリソースによって第一のリクエストを送信し、前記第一の応答が、前記競争に基づくＰＲＡＣＨリソースによって送信された第一のリクエストに対する応答であることとを含むことを特徴とする
請求項４に記載の方法。
【請求項６】
前記端末装置が前記ターゲット信号に対応する競争に基づくＰＲＡＣＨリソース及び前記ターゲット信号に対応する非競争に基づくＰＲＡＣＨリソースによって前記第一のリクエストを送信することは、
前記端末装置が、前記ターゲット信号に対応する非競争に基づくＰＲＡＣＨリソースによって第一のリクエストを送信することと、
前記端末装置が第二の送信要求を満たし、且つ前記ネットワーク装置から送信された第一の応答を受信していない場合、前記端末装置が、前記ターゲット信号に対応する競争に基づくＰＲＡＣＨリソースによって、第一のリクエストを送信し、前記第一の応答が、前記非競争に基づくＰＲＡＣＨリソースによって送信された第一のリクエストに対する応答であることとを含むことを特徴とする
請求項４に記載の方法。
【請求項７】
前記端末装置が前記第一のリクエストを送信する前に、前記方法はさらに、
前記端末装置が、前記ネットワーク装置から送信された第一の指示情報を受信し、前記第一の指示情報が、競争に基づくＰＲＡＣＨリソースを使用して第一のリクエストを送信することを許可しないことを示すことに用いられることを含み、
前記端末装置が、前記ターゲット信号に対応する競争に基づくＰＲＡＣＨリソース及び／又は前記ターゲット信号に対応する非競争に基づくＰＲＡＣＨリソースによって前記第一のリクエストを送信することは、
前記端末装置が、前記ターゲット信号に対応する非競争に基づくＰＲＡＣＨリソースのみを使用して前記第一のリクエストを送信することを含むことを特徴とする
請求項４に記載の方法。
【請求項８】
前記ターゲット信号が同期信号（ＳＳ）／ブロードキャストチャネル（ＰＢＣＨ）ブロックであり、該方法はさらに、
前記端末装置が、システムメッセージ又はブロードキャストメッセージから前記ＳＳ／ＰＢＣＨブロックと競争に基づくＰＲＡＣＨリソースとの関連関係を取得することを含み、
前記端末装置が前記ターゲット信号に対応する競争に基づくＰＲＡＣＨリソース及び／又は前記ターゲット信号に対応する非競争に基づくＰＲＡＣＨリソースによって前記第一のリクエストを送信することは、
前記端末装置が、前記ＳＳ／ＰＢＣＨブロックに対応する非競争に基づくＰＲＡＣＨリソースによって前記第一のリクエストを送信することを含むことを特徴とする
請求項４に記載の方法。
【請求項９】
前記端末装置が前記第一のリクエストを送信する前に、前記方法はさらに、
前記端末装置が、前記ネットワーク装置から送信された第二の指示情報を受信し、前記第二の指示情報が、競争に基づくＰＲＡＣＨリソースを使用して第一のリクエストを送信することを許可することを示すことに用いられることを含むことを特徴とする
請求項４−６のいずれか一項に記載の方法。
【請求項１０】
前記第二の信号セットが、チャンセル状態情報基準信号（ＣＳＩ−ＲＳ）、及び／又は同期信号（ＳＳ）／ブロードキャストチャネル（ＰＢＣＨ）ブロックを含むことを特徴とする
請求項１−９のいずれか一項に記載の方法。
【請求項１１】
前記第二の信号セットがＣＳＩ−ＲＳを含み、前記方法はさらに、
前記端末装置が、前記ネットワーク装置から送信された第一の配置情報を受信し、前記第一の配置情報が、前記第二の信号セットにおける少なくとも部分のＣＳＩ−ＲＳと競争に基づくＰＲＡＣＨリソースとの関連関係、及び／又は、前記第二の信号セットにおける少なくとも部分のＣＳＩ−ＲＳと非競争に基づくＰＲＡＣＨリソースとの関連関係を示すことに用いられることを含むことを特徴とする
請求項１０に記載の方法。
【請求項１２】
前記第二の信号セットがＳＳ／ＰＢＣＨブロックを含み、前記方法はさらに、
前記端末装置が、前記ネットワーク装置から送信された第二の配置情報を受信し、前記第二の配置情報が、前記第二の信号セットにおける少なくとも部分のＳＳ／ＰＢＣＨブロックと非競争に基づくＰＲＡＣＨリソースとの関連関係、及び／又は、前記第二の信号セットにおける少なくとも部分のＳＳ／ＰＢＣＨブロックと競争に基づくＰＲＡＣＨリソースとの関連関係を示すことに用いられることを含むことを特徴とする
請求項１０又は１１に記載の方法。
【請求項１３】
前記方法はさらに、
前記端末装置が、システムメッセージ又はブロードキャストメッセージから、前記第二の信号セットにおける少なくとも部分のＳＳ／ＰＢＣＨブロックと競争に基づくＰＲＡＣＨリソースとの関連関係を取得することを含むことを特徴とする
請求項１０−１２のいずれか一項に記載の方法。
【請求項１４】
前記方法はさらに、
第一のタイマーが期限切れになり且つ前記端末装置が前記ネットワーク装置から送信される前記第一のリクエストの応答を受信していない場合、前記端末装置が、前記ネットワーク装置への前記第一のリクエストの送信を停止することをさらに含むことを特徴とする
請求項１−１３のいずれか一項に記載の方法。
【請求項１５】
前記方法はさらに、
第一のタイマーが期限切れになる前に、前記端末装置が前記ネットワーク装置から送信される前記第一のリクエストの応答を受信した場合、前記端末装置が、前記ネットワーク装置への前記第一のリクエストの送信を停止することをさらに含むことを特徴とする
請求項１−１３のいずれか一項に記載の方法。
【請求項１６】
前記方法はさらに、
前記端末装置から前記ネットワーク装置への前記第一のリクエストの送信回数が第一の閾値以上である場合、前記端末装置が、前記ネットワーク装置への前記第一のリクエストの送信を停止することを含むことを特徴とする
請求項１−１３のいずれか一項に記載の方法。
【請求項１７】
端末装置であって、
第一の信号セットにおける信号の品質が第一の条件を満たすまで不良になっている場合、第二の信号セットからターゲット信号を確定するように構成され、該ターゲット信号の品質が第二の条件を満たすまで良い第一の確定ユニットと、
前記第二の信号セットと物理ランダムアクセスチャネル（ＰＲＡＣＨ）シーケンス及び／又はリソースとの関連関係に基づいて、前記ターゲット信号に対応するＰＲＡＣＨシーケンス及び／又はリソースを確定するように構成される第二の確定ユニットと、
前記ターゲット信号に対応するＰＲＡＣＨシーケンス及び／又はリソースによって、前記ネットワーク装置へ第一のリクエストを送信するように構成され、前記第一のリクエストが、前記端末装置によって選択された前記ターゲット信号の情報を前記ネットワーク装置に通知することに用いられる送信ユニットとを備える、前記端末装置。
【請求項１８】
前記ターゲット信号が、競争に基づくＰＲＡＣＨリソースのみに関連付けられ、前記送信ユニットは具体的に、
前記ターゲット信号に対応する競争に基づくＰＲＡＣＨリソースによって、前記第一のリクエストを送信するように構成されることを特徴とする
請求項１７に記載の端末装置。
【請求項１９】
前記ターゲット信号が非競争に基づくＰＲＡＣＨリソースのみに関連付けられ、前記送信ユニットは具体的に、
前記ターゲット信号に対応する非競争に基づくＰＲＡＣＨリソースによって前記第一のリクエストを送信するように構成されることを特徴とする
請求項１７に記載の端末装置。
【請求項２０】
前記ターゲット信号が競争に基づくＰＲＡＣＨリソースに関連付けられ、且つ前記ターゲット信号が非競争に基づくＰＲＡＣＨリソースに関連付けられ、前記送信ユニットは具体的に、
前記ターゲット信号に対応する競争に基づくＰＲＡＣＨリソース及び／又は前記ターゲット信号に対応する非競争に基づくＰＲＡＣＨリソースによって前記第一のリクエストを送信するように構成されることを特徴とする
請求項１７に記載の端末装置。
【請求項２１】
前記送信ユニットは具体的に、
前記ターゲット信号に対応する競争に基づくＰＲＡＣＨリソースによって、第一のリクエストを送信し、
第一の送信要求を満たし、且つ前記ネットワーク装置から送信された第一の応答を受信していない場合、前記ターゲット信号に対応する非競争に基づくＰＲＡＣＨリソースによって第一のリクエストを送信するように構成され、前記第一の応答が、前記競争に基づくＰＲＡＣＨリソースによって送信された第一のリクエストに対する応答であることを特徴とする
請求項２０に記載の端末装置。
【請求項２２】
前記送信ユニットは具体的に、
前記ターゲット信号に対応する非競争に基づくＰＲＡＣＨリソースによって第一のリクエストを送信し、
第二の送信要求を満たし、且つ前記ネットワーク装置から送信された第一の応答を受信していない場合、前記ターゲット信号に対応する競争に基づくＰＲＡＣＨリソースによって、第一のリクエストを送信するように構成され、前記第一の応答が前記非競争に基づくＰＲＡＣＨリソースによって送信された第一のリクエストに対する応答であることを特徴とする
請求項２０に記載の端末装置。
【請求項２３】
前記端末装置は、
前記送信ユニットが前記第一の情報を送信する前に、前記ネットワーク装置から送信された第一の指示情報を受信するように構成され、前記第一の指示情報が、競争に基づくＰＲＡＣＨリソースを使用して第一のリクエストを送信することを許可しないことを示すことに用いられる第一の受信ユニットをさらに備え、
前記送信ユニットは具体的に、
前記ターゲット信号に対応する非競争に基づくＰＲＡＣＨリソースのみを使用して前記第一のリクエストを送信するように構成されることを特徴とする
請求項２０に記載の端末装置。
【請求項２４】
前記ターゲット信号が同期信号（ＳＳ）／ブロードキャストチャネル（ＰＢＣＨ）ブロックであり、前記端末装置は、
システムメッセージ又はブロードキャストメッセージから前記ＳＳ／ＰＢＣＨブロックと競争に基づくＰＲＡＣＨリソースとの関連関係を取得するように構成される取得ユニットをさらに備え、
前記送信ユニットは具体的に、
前記ＳＳ／ＰＢＣＨブロックに対応する非競争に基づくＰＲＡＣＨリソースによって前記第一のリクエストを送信するように構成されることを特徴とする
請求項２０に記載の端末装置。
【請求項２５】
前記端末装置は、
前記送信ユニットが前記第一の情報を送信する前に、前記ネットワーク装置から送信された第二の指示情報を受信するように構成され、前記第二の指示情報が、競争に基づくＰＲＡＣＨリソースを使用して第一のリクエストを送信することを許可することを示すことに用いられる第二の受信ユニットをさらに備えることを特徴とする
請求項２０−２２のいずれか一項に記載の端末装置。
【請求項２６】
前記第二の信号セットが、チャンセル状態情報基準信号（ＣＳＩ−ＲＳ）、及び／又は同期信号（ＳＳ）／ブロードキャストチャネル（ＰＢＣＨ）ブロックを含むことを特徴とする
請求項１７−２５のいずれか一項に記載の端末装置。
【請求項２７】
前記第二の信号セットがＣＳＩ−ＲＳを含み、前記端末装置は、
前記ネットワーク装置から送信された第一の配置情報を受信するように構成され、前記第一の配置情報が、前記第二の信号セットにおける少なくとも部分のＣＳＩ−ＲＳと競争に基づくＰＲＡＣＨリソースとの関連関係、及び／又は、前記第二の信号セットにおける少なくとも部分のＣＳＩ−ＲＳと非競争に基づくＰＲＡＣＨリソースとの関連関係を示すことに用いられる第三の受信ユニットをさらに備えることを特徴とする
請求項２６に記載の端末装置。
【請求項２８】
前記第二の信号セットがＳＳ／ＰＢＣＨブロックを含み、前記端末装置は、
前記ネットワーク装置から送信された第二の配置情報を受信するように構成され、前記第二の配置情報が、前記第二の信号セットにおける少なくとも部分のＳＳ／ＰＢＣＨブロックと非競争に基づくＰＲＡＣＨリソースとの関連関係、及び／又は、前記第二の信号セットにおける少なくとも部分のＳＳ／ＰＢＣＨブロックと競争に基づくＰＲＡＣＨリソースとの関連関係を示すことに用いられる第四の受信ユニットをさらに備えることを特徴とする
請求項２６又は２７に記載の端末装置。
【請求項２９】
前記端末装置は、
システムメッセージ又はブロードキャストメッセージから、前記第二の信号セットにおける少なくとも部分のＳＳ／ＰＢＣＨブロックと競争に基づくＰＲＡＣＨリソースとの関連関係を取得するように構成される第二の取得ユニットをさらに備えることを特徴とする
請求項２６−２８のいずれか一項に記載の端末装置。
【請求項３０】
前記端末装置は、
第一のタイマーが期限切れになり且つ前記ネットワーク装置から送信される前記第一のリクエストの応答を受信していない場合、前記ネットワーク装置への前記第一のリクエストの送信を停止するように構成される第一の処理ユニットをさらに備えることを特徴とする
請求項１７−２９のいずれか一項に記載の端末装置。
【請求項３１】
前記端末装置は、
第一のタイマーが期限切れになる前に、前記ネットワーク装置から送信される前記第一のリクエストの応答を受信した場合、前記ネットワーク装置への前記第一のリクエストの送信を停止するように構成される第二の処理ユニットをさらに備えることを特徴とする
請求項１７−２９のいずれか一項に記載の端末装置。
【請求項３２】
前記端末装置は、
前記ネットワーク装置への前記第一のリクエストの送信回数が第一の閾値以上である場合、前記ネットワーク装置への前記第一のリクエストの送信を停止するように構成される第三の処理ユニットをさらに備えることを特徴とする
請求項１７−２９のいずれか一項に記載の端末装置。
【発明の詳細な説明】
【技術分野】
【０００１】
本出願の実施例は通信分野に関し、且つより具体的には、リンク再構成方法と端末装置に関する。
【背景技術】
【０００２】
第５世代（５Ｇ）移動通信技術の研究において、ビームフォーミング技術はカバレッジ及びスペクトル効率を向上させるための重要な技術である。ビームフォーミングはアンテナアレイに基づく信号前処理技術であり、各アンテナ素子における送信信号の重み値を調整することにより、指向性を有するビームを生成する。
【０００３】
ネットワーク装置は、異なるビームを用いて異なる信号セットを送信することができ、端末装置は、受信された信号セットを測定することができ、それによって該信号セットを伝送するリンクが不良で利用できないか否かを判定し、即ち、該信号セットに用いられる送信ビームが利用可能であるか否か、即ちｂｅａｍ  ｆａｉｌｕｒｅであるか否かを判定することができる。ｂｅａｍ  ｆａｉｌｕｒｅが発生するとした場合、端末装置は、別の信号セットから品質の良い信号を選択することができ、端末装置がどのようにネットワーク装置へ選択された品質の良い信号を報告するかは解決すべき問題である。
【発明の概要】
【発明が解決しようとする課題】
【０００４】
これに鑑みて、本出願の実施例は信号伝送性能を向上させることに役立つリンク再構成方法と端末装置を提供する。
【課題を解決するための手段】
【０００５】
第一の態様によるリンク再構成方法は、第一の信号セットにおける信号の品質が第一の条件を満たすまで不良になっている場合、端末装置が第二の信号セットからターゲット信号を確定し、該ターゲット信号の品質が第二の条件を満たすまで良いことと、該端末装置が該第二の信号セットと物理ランダムアクセスチャネル（ＰＲＡＣＨ）シーケンス及び／又はリソースとの関連関係に基づいて、該ターゲット信号に対応するＰＲＡＣＨシーケンス及び／又はリソースを確定することと、該端末装置が該ターゲット信号に対応するＰＲＡＣＨシーケンス及び／又はリソースによって、該ネットワーク装置へ第一のリクエストを送信し、該第一のリクエストが、該端末装置によって選択された該ターゲット信号の情報を該ネットワーク装置に通知することに用いられることとを含む。
【０００６】
一つの可能な実施形態では、該ターゲット信号が、競争に基づくＰＲＡＣＨリソースのみに関連付けられ、該端末装置が該ターゲット信号に対応するＰＲＡＣＨシーケンス及び／又はリソースによって、該ネットワーク装置へ第一のリクエストを送信することは、該端末装置が該ターゲット信号に対応する競争に基づくＰＲＡＣＨリソースによって、該第一のリクエストを送信することを含む。
【０００７】
一つの可能な実施形態では、該ターゲット信号が非競争に基づくＰＲＡＣＨリソースのみに関連付けられ、該端末装置が該ターゲット信号に対応するＰＲＡＣＨリソースによって該ネットワーク装置へ第一のリクエストを送信することは、該端末装置が該ターゲット信号に対応する非競争に基づくＰＲＡＣＨリソースによって該第一のリクエストを送信することを含む。
【０００８】
一つの可能な実施形態では、該ターゲット信号が競争に基づくＰＲＡＣＨリソースに関連付けられ、且つ該ターゲット信号が非競争に基づくＰＲＡＣＨリソースに関連付けられ、該端末装置が該ターゲット信号に対応するＰＲＡＣＨシーケンス及び／又はリソースによって、該ネットワーク装置へ第一のリクエストを送信することは、該端末装置が該ターゲット信号に対応する競争に基づくＰＲＡＣＨリソース及び／又は該ターゲット信号に対応する非競争に基づくＰＲＡＣＨリソースによって該第一のリクエストを送信することを含む。
【０００９】
一つの可能な実施形態では、該端末装置が該ターゲット信号に対応する競争に基づくＰＲＡＣＨリソースと該ターゲット信号に対応する非競争に基づくＰＲＡＣＨリソースによって該第一のリクエストを送信することは、該端末装置が該ターゲット信号に対応する競争に基づくＰＲＡＣＨリソースによって、第一のリクエストを送信することと、該端末装置が第一の送信要求を満たし且つ該ネットワーク装置から送信された第一の応答を受信していない場合、該端末装置が該ターゲット信号に対応する非競争に基づくＰＲＡＣＨリソースによって第一のリクエストを送信し、該第一の応答が該競争に基づくＰＲＡＣＨリソースによって送信された第一のリクエストに対する応答であることとを含む。
【００１０】
一つの可能な実施形態では、該端末装置が該ターゲット信号に対応する競争に基づくＰＲＡＣＨリソースと該ターゲット信号に対応する非競争に基づくＰＲＡＣＨリソースによって該第一のリクエストを送信することは、該端末装置が該ターゲット信号に対応する非競争に基づくＰＲＡＣＨリソースによって第一のリクエストを送信することと、該端末装置が第二の送信要求を満たし且つ該ネットワーク装置から送信された第一の応答を受信していない場合、該端末装置が該ターゲット信号に対応する競争に基づくＰＲＡＣＨリソースによって、第一のリクエストを送信し、該第一の応答が該非競争に基づくＰＲＡＣＨリソースによって送信された第一のリクエストに対する応答であることとを含む。
【００１１】
一つの可能な実施形態では、該端末装置が該第一のリクエストを送信する前に、該方法は、該端末装置が該ネットワーク装置から送信された第一の指示情報を受信し、該第一の指示情報が、競争に基づくＰＲＡＣＨリソースを使用して第一のリクエストを送信することを許可しないことを示すことに用いられることをさらに含み、該端末装置が該ターゲット信号に対応する競争に基づくＰＲＡＣＨリソース及び／又は該ターゲット信号に対応する非競争に基づくＰＲＡＣＨリソースによって該第一のリクエストを送信することは、
該端末装置が該ターゲット信号に対応する非競争に基づくＰＲＡＣＨリソースのみを使用して該第一のリクエストを送信することを含む。
【００１２】
一つの可能な実施形態では、該ターゲット信号が同期信号（ＳＳ）／ブロードキャストチャネル（ＰＢＣＨ）ブロックであり、該方法は、該端末装置がシステムメッセージ又はブロードキャストメッセージから該ＳＳ／ＰＢＣＨブロックと競争に基づくＰＲＡＣＨリソースとの関連関係を取得することをさらに含み、該端末装置が該ターゲット信号に対応する競争に基づくＰＲＡＣＨリソース及び／又は該ターゲット信号に対応する非競争に基づくＰＲＡＣＨリソースによって該第一のリクエストを送信することは、該端末装置が該ＳＳ／ＰＢＣＨブロックに対応する非競争に基づくＰＲＡＣＨリソースによって該第一のリクエストを送信することを含む。
【００１３】
一つの可能な実施形態では、該端末装置が該第一のリクエストを送信する前に、該方法は、該端末装置が該ネットワーク装置から送信された第二の指示情報を受信し、該第二の指示情報が、競争に基づくＰＲＡＣＨリソースを使用して第一のリクエストを送信することを許可することを示すことに用いられることをさらに含む。
【００１４】
一つの可能な実施形態では、該第二の信号セットが、チャンセル状態情報基準信号（ＣＳＩ−ＲＳ）、及び／又は同期信号（ＳＳ）／ブロードキャストチャネル（ＰＢＣＨ）ブロックを含む。
【００１５】
一つの可能な実施形態では、該第二の信号セットがＣＳＩ−ＲＳを含み、該方法は、該端末装置が該ネットワーク装置から送信された第一の配置情報を受信し、該第一の配置情報が該第二の信号セットにおける少なくとも部分のＣＳＩ−ＲＳと競争に基づくＰＲＡＣＨリソースとの関連関係、及び／又は、該第二の信号セットにおける少なくとも部分のＣＳＩ−ＲＳと非競争に基づくＰＲＡＣＨリソースとの関連関係を示すことに用いられることをさらに含む。
【００１６】
一つの可能な実施形態では、該第二の信号セットがＳＳ／ＰＢＣＨブロックを含み、該方法は、該端末装置が該ネットワーク装置から送信された第二の配置情報を受信し、該第二の配置情報が該第二の信号セットにおける少なくとも部分のＳＳ／ＰＢＣＨブロックと非競争に基づくＰＲＡＣＨリソースとの関連関係、及び／又は、該第二の信号セットにおける少なくとも部分のＳＳ／ＰＢＣＨブロックと競争に基づくＰＲＡＣＨリソースとの関連関係を示すことに用いられることをさらに含む。
【００１７】
一つの可能な実施形態では、該方法は、該端末装置がシステムメッセージ又はブロードキャストメッセージから該第二の信号セットにおける少なくとも部分のＳＳ／ＰＢＣＨブロックと競争に基づくＰＲＡＣＨリソースとの関連関係を取得することをさらに含む。
【００１８】
一つの可能な実施形態では、該方法は、第一のタイマーが期限切れになり且つ該端末装置が該ネットワーク装置から送信される該第一のリクエストの応答を受信していない場合、該端末装置が該ネットワーク装置への該第一のリクエストの送信を停止することをさらに含む。
【００１９】
一つの可能な実施形態では、該方法は、第一のタイマーが期限切れになる前に、該端末装置が該ネットワーク装置から送信される該第一のリクエストの応答を受信した場合、該端末装置が該ネットワーク装置への該第一のリクエストの送信を停止することをさらに含む。
【００２０】
一つの可能な実施形態では、該方法は、該端末装置から該ネットワーク装置への該第一のリクエストの送信回数が第一の閾値以上である場合、該端末装置が該ネットワーク装置への該第一のリクエストの送信を停止することをさらに含む。
【００２１】
第二の態様による端末装置は、上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００２２】
第三の態様による端末装置は、メモリ、プロセッサ、入力インタフェースと出力インタフェースを備える。ここで、メモリ、プロセッサ、入力インタフェースと出力インタフェースはバスシステムを介して接続される。該メモリが命令を記憶するように構成され、該プロセッサが該メモリに記憶された、上記第一の態様又は第一の態様のいずれかの可能な実施形態における方法を実行するための命令を実行するように構成される。
【００２３】
本出願のこれらの態様又は他の態様は以下の実施例の説明からより容易に明らかになる。
【図面の簡単な説明】
【００２４】
【図１】本出願の実施例の一つの応用シーンを示す概略図である。
【図２】本出願の実施例によるリンク再構成方法を示す概略ブロック図である。
【図３】本出願の実施例による端末装置を示す概略ブロック図である。
【図４】本出願の実施例による端末装置を示す別の概略ブロック図である。
【発明を実施するための形態】
【００２５】
以下に本出願の実施例における図面と組み合わせながら、本出願の実施例における技術的解決策を明確且つ全面的に説明する。
【００２６】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００２７】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００２８】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。
【００２９】
アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００３０】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例では限定されない。
【００３１】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を表すことができる。
【００３２】
図２は本出願の実施例によるリンク再構成方法１００を示す概略ブロック図である。図２に示すように、該方法１００は以下の部分又は全部の内容を含む。
【００３３】
Ｓ１１０において、第一の信号セットにおける信号の品質が第一の条件を満たすまで不良になっている場合、端末装置は第二の信号セットからターゲット信号を確定し、該ターゲット信号の品質が第二の条件を満たすまで良い。
【００３４】
Ｓ１２０において、該端末装置は該第二の信号セットと物理ランダムアクセスチャネル（ＰＲＡＣＨ）シーケンス及び／又はリソースとの関連関係に基づいて、該ターゲット信号に対応するＰＲＡＣＨシーケンス及び／又はリソースを確定する。
【００３５】
Ｓ１３０において、該端末装置は、該ターゲット信号に対応するＰＲＡＣＨシーケンス及び／又はリソースによって、該ネットワーク装置へ第一のリクエストを送信し、該第一のリクエストが、ＵＥによって選択された該ターゲット信号の情報を該ネットワーク装置に通知することに用いられる。
【００３６】
具体的には、端末装置がネットワーク装置から送信されたある信号セットにおける信号を受信した後、端末装置は、該信号セットにおける信号を測定することができ、それによってこれらの信号を伝送するためのリングの品質を判定することができる。つまり、該信号セットにおける信号に用いられる送信ビームが利用可能であるか否かを判定し、例えば、該信号セットにおける信号の品質がある閾値より低いか否かを判定することができ、一回の測定で該信号セットにおける全ての信号の品質が該閾値より低い場合、該信号セットに用いられるビームが利用可能ではないと見なすことができる。端末装置が、該信号セットに用いられる送信ビームが実際には利用可能ではないと判定した場合、端末装置は、他の信号セットから品質が良い信号を選択してネットワーク装置に報告することができ、そのためネットワーク装置は端末装置から報告された信号に用いられる送信ビームを用いて後の信号の伝送を行うことができる。ネットワーク装置は、信号と物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）シーケンス及び／又はリソースとの関連関係を予め配置することができ、そのため端末装置は、選択された信号に基づき、対応するＰＲＡＣＨシーケンス及び／又はリソースを使用することを確定することができ、それによって端末装置は、選択されたＰＲＡＣＨシーケンス及び／又はリソースによって、ネットワーク装置へ端末装置によって選択された信号の情報を送信することができる。ネットワーク装置が、端末装置が選択されたＰＲＡＣＨシーケンス及び／又はリソースによって送信したリクエストを受信した後に、ネットワーク装置は、端末装置によって選択された信号を確定することができ、それによってネットワーク装置は、端末装置から報告された信号に使用される送信ビームを利用して、端末装置へ後の信号を送信することができる。
【００３７】
したがって、本出願の実施例のリンク再構成方法は、信号伝送性能を向上することに役立つ。
【００３８】
選択可能に、ＰＲＡＣＨリソースは一般的に競争に基づく（Ｃｏｎｔｅｎｔｉｏｎ−ｂａｓｅｄ）ＰＲＡＣＨリソースと非競争（Ｃｏｎｔｅｎｔｉｏｎ−ｆｒｅｅ）に基づくＰＲＡＣＨリソースに分けられてもよい。競争に基づくＰＲＡＣＨリソースは、端末装置にとって、一つのリソースプールであり、異なる端末装置が同じリソースを使用できるため、リソースの競争が発生する。非競争に基づくＰＲＡＣＨリソースは、端末装置にとって、専用のものであり、即ちネットワーク装置によってある時点においてある端末装置に排他的に割り当てられてもよい。
【００３９】
本出願の実施例における第一の信号セットと第二の信号セットにおける信号は、チャネル状態情報基準信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、及び／又は、同期信号／物理ブロードキャストチャネル（ＳＳ／ＰＢＣＨ：Ｓｙｎｃｈｒｏｎｉｚａｔｉｏｎ  Ｓｉｇｎａｌ／  Ｐｈｙｓｉｃａｌ  Ｂｒｏａｄｃａｓｔ  Ｃｈａｎｎｅｌ）ブロック（ｂｌｏｃｋ）を含むことができる。
【００４０】
選択可能に、端末装置が第二の信号セットから選択されるターゲット信号が、競争に基づくＰＲＡＣＨリソースのみに関連付けられてもよく、端末装置は、該関連関係に基づいて、ターゲット信号に対応する競争に基づくＰＲＡＣＨリソースを選択し、それによって端末装置は、選択された競争に基づくＰＲＡＣＨリソースによってネットワーク装置へ第一のリクエストを送信することができる。
【００４１】
選択可能に、端末装置が第二の信号セットから選択されたターゲット信号が非競争に基づくＰＲＡＣＨリソースのみに関連付けられてもよく、端末装置は、該関連関係に基づいて、ターゲット信号に対応する非競争に基づくＰＲＡＣＨリソースを選択してネットワーク装置へ第一のリクエストを送信することができる。
【００４２】
選択可能に、端末装置が第二の信号セットから選択されたターゲット信号は、競争に基づくＰＲＡＣＨリソースだけでなく、非競争に基づくＰＲＡＣＨリソースにも関連付けられてもよい場合、端末装置は、以下の４つの方式でネットワーク装置へ第一のリクエストを送信することができる。
【００４３】
１、端末装置は、ターゲット信号に関連付けられた競争に基づくＰＲＡＣＨリソースのみによって、ネットワーク装置へ第一のリクエストを送信することができる。例えば、端末装置が、ターゲット信号に関連付けられた競争に基づくＰＲＡＣＨリソースによってネットワーク装置へ初回目の第一のリクエストを送信し、端末装置が、ある時間窓内でネットワーク装置から返信される該初回目の第一のリクエストの応答を受信していない場合、端末装置は、ターゲット信号に関連付けられた競争に基づくＰＲＡＣＨリソースによってネットワーク装置へ二回目の第一のリクエストを再度送信し、端末装置からネットワークへの該第一のリクエストの送信回数が閾値に達するまで、繰り返すことができる。
【００４４】
２、端末装置はターゲット信号に関連付けられた非競争に基づくＰＲＡＣＨリソースのみによってネットワーク装置へ第一のリクエストを送信することができる。例えば、端末装置が、ターゲット信号に関連付けられた非競争に基づくＰＲＡＣＨリソースによってネットワーク装置へ初回目の第一のリクエストを送信し、端末装置が、ある時間窓内でネットワーク装置から返信される該初回目の第一のリクエストの応答を受信していない場合、端末装置は、ターゲット信号に関連付けられた非競争に基づくＰＲＡＣＨリソースによってネットワーク装置へ二回目の第一のリクエストを再度送信し、端末装置からネットワークへの該第一のリクエストの送信回数が閾値に達するまで繰り返すことができる。
【００４５】
３、該端末装置は、まず該ターゲット信号に関連付けられた競争に基づくＰＲＡＣＨリソースによって第一のリクエストを送信することができ、該端末装置が第一の送信要求を満たし且つ該ネットワーク装置から送信された第一の応答を受信していない場合、該端末装置は、該ターゲット信号に対応する非競争に基づくＰＲＡＣＨリソースによって第一のリクエストを送信し、該第一の応答が、該競争に基づくＰＲＡＣＨリソースによって送信された第一のリクエストに対する応答である。例えば、端末装置は、ターゲット信号に関連付けられた競争に基づくＰＲＡＣＨリソースによって第一のリクエストを連続的に送信することができ、該第一のリクエストの連続的な送信回数が一定の閾値に達する時にも、端末装置が該第一のリクエストの応答を受信していない場合、端末装置は、ターゲット信号に関連付けられた非競争に基づくＰＲＡＣＨリソースによって該第一のリクエストを送信することができる。
【００４６】
４、該端末装置は、まず該ターゲット信号に関連付けられた非競争に基づくＰＲＡＣＨリソースによって第一のリクエストを送信することができ、該端末装置が第二の送信要求を満たし且つ該ネットワーク装置から送信された第一の応答を受信していない場合、該端末装置は、該ターゲット信号に対応する競争に基づくＰＲＡＣＨリソースによって、第一のリクエストを送信し、該第一の応答が、該非競争に基づくＰＲＡＣＨリソースによって送信された第一のリクエストに対する応答である。例えば、端末装置は、ターゲット信号に関連付けられた非競争に基づくＰＲＡＣＨリソースによって第一のリクエストを連続的に送信することができ、該第一のリクエストの連続的な送信回数が一定の閾値に達する時にも、端末装置が該第一のリクエストの応答を受信していない場合、端末装置はターゲット信号に関連付けられた競争に基づくＰＲＡＣＨリソースによって該第一のリクエストを送信することができる。
【００４７】
選択可能に、本出願の実施例における第一の送信要求及び／又は第二の送信要求を満たすことは、端末装置が第一のリクエストを連続的に送信する回数が一定の閾値に達することであってもよく、ここで第一の送信要求の閾値と第二の送信要求の閾値が同じであってもよいし、異なってもよい。
【００４８】
選択可能に、本出願の実施例における第一の送信要求及び／又は第二の送信要求を満たすことは、あるタイマーが期限切れになり、又はあるタイマーがタイムアウトになることであってもよく、ここで第一の送信要求と第二の送信要求のタイマーの時間長が同じであってもよいし、異なってもよい。
【００４９】
選択可能に、ターゲット信号が競争に基づくＰＲＡＣＨリソースと非競争に基づくＰＲＡＣＨリソースの両方に関連付けられる場合、端末装置が第一のリクエストを送信する前に、ネットワーク装置はさらに端末装置へ第一の指示情報を送信することができ、該第一の指示情報が、競争に基づくＰＲＡＣＨリソースを使用して第一のリクエストを送信することを許可しないことを示すことに用いられる。端末装置が該第一の指示情報を受信した後、端末装置はターゲット信号に関連付けられた非競争に基づくＰＲＡＣＨリソースのみを使用して第一のリクエストを送信する。
【００５０】
選択可能に、ターゲット信号が競争に基づくＰＲＡＣＨリソースと非競争に基づくＰＲＡＣＨリソースの両方に関連付けられる場合、端末装置が第一のリクエストを送信する前に、ネットワーク装置はさらに端末装置へ第二の指示情報を送信することができ、該第二の指示情報が、競争に基づくＰＲＡＣＨリソースを使用して第一のリクエストを送信することを許可することを示すことに用いられる。端末装置は、該第二の指示情報を受信した場合のみ、上記１〜４の解決策を採用してネットワーク装置へ該第一のリクエストを送信することができる。
【００５１】
選択可能に、第二の信号セットが部分のＣＳＩ−ＲＳを含むことができ、ネットワーク装置は、関連付けられた競争に基づくＰＲＡＣＨリソースのみを該部分のＣＳＩ−ＲＳに配置することができ、ターゲット信号が該部分のＣＳＩ−ＲＳに属する場合、端末装置はターゲットＣＳＩ−ＲＳに関連付けられた競争に基づくＰＲＡＣＨリソースを使用して第一のリクエストを送信することができ、又は
ネットワーク装置は、関連付けられた非競争に基づくＰＲＡＣＨリソースのみを該部分のＣＳＩ−ＲＳに配置することもでき、ターゲット信号が該部分のＣＳＩ−ＲＳに属する場合、端末装置はターゲットＣＳＩ−ＲＳに関連付けられた非競争に基づくＰＲＡＣＨリソースを使用して第一のリクエストを送信することができ、又は
ネットワーク装置は、さらに関連付けられた競争に基づくＰＲＡＣＨリソースだけでなく、関連付けられた非競争に基づくＰＲＡＣＨリソースを該部分のＣＳＩ−ＲＳに配置することができ、ターゲット信号が該部分のＣＳＩ−ＲＳに属する場合、端末装置は、ターゲットＣＳＩ−ＲＳに関連付けられた競争に基づくＰＲＡＣＨリソース及び／又はターゲットＣＳＩ−ＲＳに関連付けられた非競争に基づくＰＲＡＣＨリソースを使用して第一のリクエストを送信することができ、具体的には、上記１〜４の解決策を採用してネットワーク装置へ第一のリクエストを送信することができる。
【００５２】
選択可能に、第二の信号セットが部分のＳＳ／ＰＢＣＨブロックを含むことができる場合、ネットワーク装置は、関連付けられた競争に基づくＰＲＡＣＨリソースのみを該部分のＳＳ／ＰＢＣＨブロックに配置することができ、又は、ネットワーク装置は関連付けられた競争に基づくＰＲＡＣＨリソースを該部分のＳＳ／ＰＢＣＨブロックに配置しなく、端末装置によってシステムメッセージ又はネットワークメッセージから該部分のＳＳ／ＰＢＣＨブロックと競争に基づくＰＲＡＣＨリソースとの関連関係を取得し、該ターゲット信号が該部分のＳＳ／ＰＢＣＨブロックに属する場合、端末装置はターゲットＳＳ／ＰＢＣＨブロックに関連付けられた競争に基づくＰＲＡＣＨリソースを使用して第一のリクエストを送信することができ、又は
ネットワーク装置は関連付けられた非競争に基づくＰＲＡＣＨリソースのみを該部分のＳＳ／ＰＢＣＨブロックに配置することもでき、ターゲット信号が該部分のＳＳ／ＰＢＣＨブロックに属する場合、端末装置はターゲットＳＳ／ＰＢＣＨブロックに関連付けられた非競争に基づくＰＲＡＣＨリソースを使用して第一のリクエストを送信することができ、又は
ネットワーク装置はさらに関連付けられた競争に基づくＰＲＡＣＨリソースを該部分のＳＳ／ＰＢＣＨブロックに配置し、又は端末装置によってシステムメッセージ又はブロードキャストメッセージから該部分のＳＳ／ＰＢＣＨブロックと競争に基づくＰＲＡＣＨリソースとの関連関係を取得することができ、また、ネットワーク装置は、関連付けられた非競争に基づくＰＲＡＣＨリソースを該部分のＳＳ／ＰＢＣＨブロックに配置することもでき、ターゲット信号が該部分のＳＳ／ＰＢＣＨブロックに属する場合、端末装置は、ターゲットＳＳ／ＰＢＣＨブロックに関連付けられた競争に基づくＰＲＡＣＨリソース及び／又はターゲットＳＳ／ＰＢＣＨブロックに関連付けられた非競争に基づくＰＲＡＣＨリソースを使用して第一のリクエストを送信することができ、具体的には、上記１〜４の解決策を採用してネットワーク装置へ第一のリクエストを送信することができる。
【００５３】
選択可能に、該ターゲット信号がＳＳ／ＰＢＣＨブロックである場合、端末装置はシステムメッセージ又はブロードキャストメッセージから該ＳＳ／ＰＢＣＨブロックと競争に基づくＰＲＡＣＨリソースとの関連関係を取得することができ、ネットワーク装置が非競争に基づくＰＲＡＣＨリソースの関連関係を該ＳＳ／ＰＢＣＨブロックに配置した場合、端末装置は該ＳＳ／ＰＢＣＨブロックに対応する非競争に基づくＰＲＡＣＨリソースを使用して第一のリクエストを送信することができる。言い換えれば、端末装置が既に該ＳＳ／ＰＢＣＨブロックと競争に基づくＰＲＡＣＨリソースとの関連関係を取得した場合でも、端末装置はネットワーク装置によって非競争に基づくＰＲＡＣＨリソースとの関連関係を該ＳＳ／ＰＢＣＨブロックに配置する必要もあり、且つ端末装置はシステムメッセージ又はブロードキャストメッセージから取得された該ＳＳ／ＰＢＣＨブロックと競争に基づくＰＲＡＣＨリソースとの関連関係を使用しなく、端末装置はネットワーク装置によって配置された該ＳＳ／ＰＢＣＨブロックを使用して非競争に基づくＰＲＡＣＨリソースとの関連関係を配置する。
【００５４】
選択可能に、端末装置はターゲット信号に対応するＰＲＡＣＨリソースを確定した後、一つのタイマーを起動でき、該タイマーの時間長内又はタイマーが期限切れになる時に、端末装置が一つの第一のリクエストの応答を受信していない場合、端末装置はネットワーク装置への該第一のリクエストの送信を停止することができる。又は該タイマーの時間長内、即ちタイマーが期限切れになる前に、端末装置が一つの第一のリクエストの応答を受信した場合でも、端末装置はネットワーク装置への該第一のリクエストの送信を停止することができる。又は端末装置からネットワーク装置への第一のリクエストの送信回数が一定の閾値に達する時に、端末装置はネットワーク装置への該第一のリクエストの送信を停止することもできる。
【００５５】
理解すべきものとして、本出願の実施例における以上とはある比較オブジェクトの値の範囲が大きいこと、又は等しいことであってもよく、又は大きく又は等しいことであってもよいことを意味する。例えば、第一のリクエストの回数さえある値に達すれば、第一のリクエストの送信を停止し、又は信号の品質と閾値の比較により、第一の信号セットにおける信号の品質さえある値以上であれば、第二の信号セットからターゲット信号を確定する。
【００５６】
理解すべきものとして、ネットワーク装置で説明されるネットワーク装置と端末装置のインタラクション及び関連特性、機能などが端末装置の関連特性、機能に対応する。そして、関連内容について上記方法１００で詳細に説明され、簡潔にするために、ここでは説明を省略する。
【００５７】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【００５８】
以上に本出願の実施例によるリンク再構成方法を詳細に説明し、以下に図３及び図４と組み合わせて本出願の実施例によるリンク再構成装置を説明し、方法の実施例で説明される技術的特徴が以下の装置の実施例に適用する。
【００５９】
図３は本出願の実施例による端末装置２００を示す概略ブロック図である。図３に示すように、該端末装置２００は、
第一の信号セットにおける信号の品質が第一の条件を満たすまで不良になっている場合、第二の信号セットからターゲット信号を確定するように構成され、該ターゲット信号の品質が第二の条件を満たすまで良い第一の確定ユニット２１０と、
該第二の信号セットと物理ランダムアクセスチャネル（ＰＲＡＣＨ）シーケンス及び／又はリソースとの関連関係に基づいて、該ターゲット信号に対応するＰＲＡＣＨシーケンス及び／又はリソースを確定するように構成される第二の確定ユニット２２０と、
該ターゲット信号に対応するＰＲＡＣＨシーケンス及び／又はリソースによって、該ネットワーク装置へ第一のリクエストを送信するように構成され、該第一のリクエストが、該端末装置によって選択された該ターゲット信号の情報を該ネットワーク装置に通知することに用いられる送信ユニット２３０とを備える。
【００６０】
したがって、本出願の実施例における端末装置は、信号伝送性能を向上させることに役立つ。
【００６１】
選択可能に、本出願の実施例では、該ターゲット信号が、競争に基づくＰＲＡＣＨリソースのみに関連付けられ、該送信ユニットは具体的に該ターゲット信号に対応する競争に基づくＰＲＡＣＨリソースによって、該第一のリクエストを送信するように構成される。
【００６２】
選択可能に、本出願の実施例では、該ターゲット信号が非競争に基づくＰＲＡＣＨリソースのみに関連付けられ、該送信ユニットは、具体的に該ターゲット信号に対応する非競争に基づくＰＲＡＣＨリソースによって該第一のリクエストを送信するように構成される。
【００６３】
選択可能に、本出願の実施例では、該ターゲット信号が競争に基づくＰＲＡＣＨリソースに関連付けられ、且つ該ターゲット信号が非競争に基づくＰＲＡＣＨリソースに関連付けられ、該送信ユニットは、具体的に該ターゲット信号に対応する競争に基づくＰＲＡＣＨリソース及び／又は該ターゲット信号に対応する非競争に基づくＰＲＡＣＨリソースによって該第一のリクエストを送信するように構成される。
【００６４】
選択可能に、本出願の実施例では、該送信ユニットは具体的に該ターゲット信号に対応する競争に基づくＰＲＡＣＨリソースによって、第一のリクエストを送信し、第一の送信要求を満たし且つ該ネットワーク装置から送信された第一の応答を受信していない場合、該ターゲット信号に対応する非競争に基づくＰＲＡＣＨリソースによって第一のリクエストを送信するように構成され、該第一の応答が該競争に基づくＰＲＡＣＨリソースによって送信された第一のリクエストに対する応答である。
【００６５】
選択可能に、本出願の実施例では、該送信ユニットは、具体的に該ターゲット信号に対応する非競争に基づくＰＲＡＣＨリソースによって第一のリクエストを送信し、第二の送信要求を満たし且つ該ネットワーク装置から送信された第一の応答を受信していない場合、該ターゲット信号に対応する競争に基づくＰＲＡＣＨリソースによって、第一のリクエストを送信するように構成され、該第一の応答が該非競争に基づくＰＲＡＣＨリソースによって送信された第一のリクエストに対する応答である。
【００６６】
選択可能に、本出願の実施例では、該端末装置は、該送信ユニットが該第一の情報を送信する前に、該ネットワーク装置から送信された第一の指示情報を受信するように構成され、該第一の指示情報が、競争に基づくＰＲＡＣＨリソースを使用して第一のリクエストを送信することを許可しないことを示すことに用いられる第一の受信ユニットをさらに備える。
【００６７】
該送信ユニットは、具体的にターゲット信号に対応する非競争に基づくＰＲＡＣＨリソースのみを使用して該第一のリクエストを送信するように構成される。
【００６８】
選択可能に、本出願の実施例では、該ターゲット信号が同期信号（ＳＳ）／ブロードキャストチャネル（ＰＢＣＨ）ブロックであり、該端末装置は、システムメッセージ又はブロードキャストメッセージから該ＳＳ／ＰＢＣＨブロックと競争に基づくＰＲＡＣＨリソースとの関連関係を取得するように構成される取得ユニットをさらに備える。
【００６９】
該送信ユニットは、具体的に該ＳＳ／ＰＢＣＨブロックに対応する非競争に基づくＰＲＡＣＨリソースによって該第一のリクエストを送信するように構成される。
【００７０】
選択可能に、本出願の実施例では、該端末装置が該第一のリクエストを送信する前に、該端末装置は、該送信ユニットが該第一の情報を送信する前に、該ネットワーク装置から送信された第二の指示情報を受信するように構成され、該第二の指示情報が、競争に基づくＰＲＡＣＨリソースを使用して第一のリクエストを送信することを許可することを示すことに用いられる第二の受信ユニットをさらに備える。
【００７１】
選択可能に、本出願の実施例では、該第二の信号セットはチャネル状態情報基準信号（ＣＳＩ−ＲＳ）、及び／又は同期信号（ＳＳ）／ブロードキャストチャネル（ＰＢＣＨ）ブロックを含む。
【００７２】
選択可能に、本出願の実施例では、該第二の信号セットがＣＳＩ−ＲＳを含み、該端末装置は、該ネットワーク装置から送信された第一の配置情報を受信するように構成され、該第一の配置情報が該第二の信号セットにおける少なくとも部分のＣＳＩ−ＲＳと競争に基づくＰＲＡＣＨリソースとの関連関係、及び／又は、該第二の信号セットにおける少なくとも部分のＣＳＩ−ＲＳと非競争に基づくＰＲＡＣＨリソースとの関連関係を示すことに用いられる第三の受信ユニットをさらに備える。
【００７３】
選択可能に、本出願の実施例では、該第二の信号セットがＳＳ／ＰＢＣＨブロックを含み、該端末装置は、該ネットワーク装置から送信された第二の配置情報を受信するように構成され、該第二の配置情報が該第二の信号セットにおける少なくとも部分のＳＳ／ＰＢＣＨブロックと非競争に基づくＰＲＡＣＨリソースとの関連関係、及び／又は、該第二の信号セットにおける少なくとも部分のＳＳ／ＰＢＣＨブロックと競争に基づくＰＲＡＣＨリソースとの関連関係を示すことに用いられる第四の受信ユニットをさらに備える。
【００７４】
選択可能に、本出願の実施例では、該端末装置は、システムメッセージ又はブロードキャストメッセージから該第二の信号セットにおける少なくとも部分のＳＳ／ＰＢＣＨブロックと競争に基づくＰＲＡＣＨリソースとの関連関係を取得するように構成される第二の取得ユニットをさらに備える。
【００７５】
選択可能に、本出願の実施例では、該端末装置は、第一のタイマーが期限切れになり且つ該ネットワーク装置から送信される該第一のリクエストの応答を受信していない場合、該ネットワーク装置への該第一のリクエストの送信を停止するように構成される第一の処理ユニットをさらに備える。
【００７６】
選択可能に、本出願の実施例では、該端末装置は、第一のタイマーが期限切れになる前に、該ネットワーク装置から送信される該第一のリクエストの応答を受信した場合、該ネットワーク装置への該第一のリクエストの送信を停止するように構成される第二の処理ユニットをさらに備える。
【００７７】
選択可能に、本出願の実施例では、該端末装置は、該ネットワーク装置への該第一のリクエストの送信回数が第一の閾値以上である場合、該ネットワーク装置への該第一のリクエストへの送信を停止するように構成される第三の処理ユニットをさらに備える。
【００７８】
理解すべきものとして、本出願の実施例による端末装置２００は本出願の方法の実施例における端末装置に対応してもよく、且つ端末装置２００の各ユニットの上記と他の操作及び／又は機能はそれぞれ図２の方法における端末装置の対応するプロセスを実現するためのものであり、簡潔するために、ここでは説明を省略する。
【００７９】
図４に示すように、本出願の実施例はさらに図２の方法１００に対応する端末装置のコンテンツを実行することに用いられてもよい図３の端末装置３００とすることができる端末装置３００を提供する。該端末装置３００は、入力インタフェース３１０、出力インタフェース３２０、プロセッサ３３０及びメモリ３４０を備え、該入力インタフェース３１０、出力インタフェース３２０、プロセッサ３３０とメモリ３４０がバスシステムを介して接続されてもよい。該メモリ３４０はプログラム、命令又はコードを記憶するように構成される。該プロセッサ３３０は、該メモリ３４０でのプログラム、命令又はコードを実行して、信号を受信するように入力インタフェース３１０を制御し、信号を送信するように出力インタフェース３２０を制御し、上記方法の実施例における操作を完了するように構成される。
【００８０】
したがって、本出願の実施例における端末装置は、信号伝送性能を向上させることに役立つ。
【００８１】
理解すべきものとして、本発明の実施例では、該プロセッサ３３０は中央処理ユニット（ＣＰＵ：Ｃｅｎｔｒａｌ  Ｐｒｏｃｅｓｓｉｎｇ  Ｕｎｉｔ）であってもよく、該プロセッサ３３０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【００８２】
該メモリ３４０は読み取り専用メモリとランダムアクセスメモリを含み、そしてプロセッサ３３０へ命令とデータを提供することができる。メモリ３４０の一部はさらに不揮発性ランダムアクセスメモリを含むことができる。例えば、メモリ３４０はさらに装置タイプの情報を記憶することができる。
【００８３】
実施プロセスでは、上記方法の各内容は、プロセッサ３３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ３４０に位置し、プロセッサ３３０はメモリ３４０における情報を読み取り、そのハードウェアと組み合わせて上記方法の内容を完了する。繰り返しを回避するために、ここでは詳細な説明を省略する。
【００８４】
一つの具体的な実施形態では、端末装置２００における確定ユニット、取得ユニットと処理ユニットは、図４におけるプロセッサ３３０によって実現されてもよく、端末装置２００の受信ユニットは図４における入力インタフェース３１０によって実現されてもよい。端末装置２００の送信ユニットは図４における出力インタフェース３２０によって実現されてもよい。
【００８５】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【００８６】
当業者は、便利及び簡潔に説明するために、上述したシステム、装置及びユニットの具体的な動作プロセスについて、上記方法の実施例における対応するプロセスを参照でき、ここで説明を省略することを明確に理解することができる。
【００８７】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【００８８】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの部分又は全てのユニットを選択して本実施例の解決策の目的を達成することができる。
【００８９】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【００９０】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は部分のステップを実行させるためのいくつかの命令を含む、記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【００９１】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は請求項の保護範囲に準拠するべきである。
【図１】
2021516887.tif 000003
【図２】
2021516887.tif 000004
【図３】
2021516887.tif 000005
【図４】
2021516887.tif 000006
【手続補正書】
【提出日】令和3年1月8日(2021.1.8)
【手続補正１】
【補正対象書類名】明細書
【補正対象項目名】全文
【補正方法】変更
【補正の内容】
【発明の詳細な説明】
【技術分野】
【０００１】
本出願の実施例は通信分野に関し、且つより具体的には、リンク再構成方法と端末装置に関する。
【背景技術】
【０００２】
第５世代（５Ｇ）移動通信技術の研究において、ビームフォーミング技術はカバレッジ及びスペクトル効率を向上させるための重要な技術である。ビームフォーミングはアンテナアレイに基づく信号前処理技術であり、各アンテナ素子における送信信号の重み値を調整することにより、指向性を有するビームを生成する。
【０００３】
ネットワーク装置は、異なるビームを用いて異なる信号セットを送信することができ、端末装置は、受信された信号セットを測定することができ、それによって該信号セットを伝送するリンクが不良で利用できないか否かを判定し、即ち、該信号セットに用いられる送信ビームが利用可能であるか否か、即ちｂｅａｍ  ｆａｉｌｕｒｅであるか否かを判定することができる。ｂｅａｍ  ｆａｉｌｕｒｅが発生するとした場合、端末装置は、別の信号セットから品質の良い信号を選択することができ、端末装置がどのようにネットワーク装置へ選択された品質の良い信号を報告するかは解決すべき問題である。
【発明の概要】
【発明が解決しようとする課題】
【０００４】
これに鑑みて、本出願の実施例は信号伝送性能を向上させることに役立つリンク再構成方法と端末装置を提供する。
【課題を解決するための手段】
【０００５】
第一の態様によるリンク再構成方法は、第一の信号セットにおける信号の品質が第一の条件を満たすまで不良になっている場合、端末装置が第二の信号セットからターゲット信号を確定し、該ターゲット信号の品質が第二の条件を満たすまで良いことと、該端末装置が該第二の信号セットと物理ランダムアクセスチャネル（ＰＲＡＣＨ）シーケンス及び／又はリソースとの関連関係に基づいて、該ターゲット信号に対応するＰＲＡＣＨシーケンス及び／又はリソースを確定することと、該端末装置が該ターゲット信号に対応するＰＲＡＣＨシーケンス及び／又はリソースによって、該ネットワーク装置へ第一のリクエストを送信し、該第一のリクエストが、該端末装置によって選択された該ターゲット信号の情報を該ネットワーク装置に通知することに用いられることとを含む。
【０００６】
一つの可能な実施形態では、該ターゲット信号が、競争に基づくＰＲＡＣＨリソースのみに関連付けられ、該端末装置が該ターゲット信号に対応するＰＲＡＣＨシーケンス及び／又はリソースによって、該ネットワーク装置へ第一のリクエストを送信することは、該端末装置が該ターゲット信号に対応する競争に基づくＰＲＡＣＨリソースによって、該第一のリクエストを送信することを含む。
【０００７】
一つの可能な実施形態では、該ターゲット信号が非競争に基づくＰＲＡＣＨリソースのみに関連付けられ、該端末装置が該ターゲット信号に対応するＰＲＡＣＨリソースによって該ネットワーク装置へ第一のリクエストを送信することは、該端末装置が該ターゲット信号に対応する非競争に基づくＰＲＡＣＨリソースによって該第一のリクエストを送信することを含む。
【０００８】
一つの可能な実施形態では、該ターゲット信号が競争に基づくＰＲＡＣＨリソースに関連付けられ、且つ該ターゲット信号が非競争に基づくＰＲＡＣＨリソースに関連付けられ、該端末装置が該ターゲット信号に対応するＰＲＡＣＨシーケンス及び／又はリソースによって、該ネットワーク装置へ第一のリクエストを送信することは、該端末装置が該ターゲット信号に対応する競争に基づくＰＲＡＣＨリソース及び／又は該ターゲット信号に対応する非競争に基づくＰＲＡＣＨリソースによって該第一のリクエストを送信することを含む。
【０００９】
一つの可能な実施形態では、該端末装置が該ターゲット信号に対応する競争に基づくＰＲＡＣＨリソースと該ターゲット信号に対応する非競争に基づくＰＲＡＣＨリソースによって該第一のリクエストを送信することは、該端末装置が該ターゲット信号に対応する競争に基づくＰＲＡＣＨリソースによって、第一のリクエストを送信することと、該端末装置が第一の送信要求を満たし且つ該ネットワーク装置から送信された第一の応答を受信していない場合、該端末装置が該ターゲット信号に対応する非競争に基づくＰＲＡＣＨリソースによって第一のリクエストを送信し、該第一の応答が該競争に基づくＰＲＡＣＨリソースによって送信された第一のリクエストに対する応答であることとを含む。
【００１０】
一つの可能な実施形態では、該端末装置が該ターゲット信号に対応する競争に基づくＰＲＡＣＨリソースと該ターゲット信号に対応する非競争に基づくＰＲＡＣＨリソースによって該第一のリクエストを送信することは、該端末装置が該ターゲット信号に対応する非競争に基づくＰＲＡＣＨリソースによって第一のリクエストを送信することと、該端末装置が第二の送信要求を満たし且つ該ネットワーク装置から送信された第一の応答を受信していない場合、該端末装置が該ターゲット信号に対応する競争に基づくＰＲＡＣＨリソースによって、第一のリクエストを送信し、該第一の応答が該非競争に基づくＰＲＡＣＨリソースによって送信された第一のリクエストに対する応答であることとを含む。
【００１１】
一つの可能な実施形態では、該端末装置が該第一のリクエストを送信する前に、該方法は、該端末装置が該ネットワーク装置から送信された第一の指示情報を受信し、該第一の指示情報が、競争に基づくＰＲＡＣＨリソースを使用して第一のリクエストを送信することを許可しないことを示すことに用いられることをさらに含み、該端末装置が該ターゲット信号に対応する競争に基づくＰＲＡＣＨリソース及び／又は該ターゲット信号に対応する非競争に基づくＰＲＡＣＨリソースによって該第一のリクエストを送信することは、
該端末装置が該ターゲット信号に対応する非競争に基づくＰＲＡＣＨリソースのみを使用して該第一のリクエストを送信することを含む。
【００１２】
一つの可能な実施形態では、該ターゲット信号が同期信号（ＳＳ）／ブロードキャストチャネル（ＰＢＣＨ）ブロックであり、該方法は、該端末装置がシステムメッセージ又はブロードキャストメッセージから該ＳＳ／ＰＢＣＨブロックと競争に基づくＰＲＡＣＨリソースとの関連関係を取得することをさらに含み、該端末装置が該ターゲット信号に対応する競争に基づくＰＲＡＣＨリソース及び／又は該ターゲット信号に対応する非競争に基づくＰＲＡＣＨリソースによって該第一のリクエストを送信することは、該端末装置が該ＳＳ／ＰＢＣＨブロックに対応する非競争に基づくＰＲＡＣＨリソースによって該第一のリクエストを送信することを含む。
【００１３】
一つの可能な実施形態では、該端末装置が該第一のリクエストを送信する前に、該方法は、該端末装置が該ネットワーク装置から送信された第二の指示情報を受信し、該第二の指示情報が、競争に基づくＰＲＡＣＨリソースを使用して第一のリクエストを送信することを許可することを示すことに用いられることをさらに含む。
【００１４】
一つの可能な実施形態では、該第二の信号セットが、チャンセル状態情報基準信号（ＣＳＩ−ＲＳ）、及び／又は同期信号（ＳＳ）／ブロードキャストチャネル（ＰＢＣＨ）ブロックを含む。
【００１５】
一つの可能な実施形態では、該第二の信号セットがＣＳＩ−ＲＳを含み、該方法は、該端末装置が該ネットワーク装置から送信された第一の配置情報を受信し、該第一の配置情報が該第二の信号セットにおける少なくとも部分のＣＳＩ−ＲＳと競争に基づくＰＲＡＣＨリソースとの関連関係、及び／又は、該第二の信号セットにおける少なくとも部分のＣＳＩ−ＲＳと非競争に基づくＰＲＡＣＨリソースとの関連関係を示すことに用いられることをさらに含む。
【００１６】
一つの可能な実施形態では、該第二の信号セットがＳＳ／ＰＢＣＨブロックを含み、該方法は、該端末装置が該ネットワーク装置から送信された第二の配置情報を受信し、該第二の配置情報が該第二の信号セットにおける少なくとも部分のＳＳ／ＰＢＣＨブロックと非競争に基づくＰＲＡＣＨリソースとの関連関係、及び／又は、該第二の信号セットにおける少なくとも部分のＳＳ／ＰＢＣＨブロックと競争に基づくＰＲＡＣＨリソースとの関連関係を示すことに用いられることをさらに含む。
【００１７】
一つの可能な実施形態では、該方法は、該端末装置がシステムメッセージ又はブロードキャストメッセージから該第二の信号セットにおける少なくとも部分のＳＳ／ＰＢＣＨブロックと競争に基づくＰＲＡＣＨリソースとの関連関係を取得することをさらに含む。
【００１８】
一つの可能な実施形態では、該方法は、第一のタイマーが期限切れになり且つ該端末装置が該ネットワーク装置から送信される該第一のリクエストの応答を受信していない場合、該端末装置が該ネットワーク装置への該第一のリクエストの送信を停止することをさらに含む。
【００１９】
一つの可能な実施形態では、該方法は、第一のタイマーが期限切れになる前に、該端末装置が該ネットワーク装置から送信される該第一のリクエストの応答を受信した場合、該端末装置が該ネットワーク装置への該第一のリクエストの送信を停止することをさらに含む。
【００２０】
一つの可能な実施形態では、該方法は、該端末装置から該ネットワーク装置への該第一のリクエストの送信回数が第一の閾値以上である場合、該端末装置が該ネットワーク装置への該第一のリクエストの送信を停止することをさらに含む。
【００２１】
第二の態様による端末装置は、上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００２２】
第三の態様による端末装置は、メモリ、プロセッサ、入力インタフェースと出力インタフェースを備える。ここで、メモリ、プロセッサ、入力インタフェースと出力インタフェースはバスシステムを介して接続される。該メモリが命令を記憶するように構成され、該プロセッサが該メモリに記憶された、上記第一の態様又は第一の態様のいずれかの可能な実施形態における方法を実行するための命令を実行するように構成される。
【００２３】
本出願のこれらの態様又は他の態様は以下の実施例の説明からより容易に明らかになる。
【図面の簡単な説明】
【００２４】
【図１】本出願の実施例の一つの応用シーンを示す概略図である。
【図２】本出願の実施例によるリンク再構成方法を示す概略ブロック図である。
【図３】本出願の実施例による端末装置を示す概略ブロック図である。
【図４】本出願の実施例による端末装置を示す別の概略ブロック図である。
【発明を実施するための形態】
【００２５】
以下に本出願の実施例における図面と組み合わせながら、本出願の実施例における技術的解決策を明確且つ全面的に説明する。
【００２６】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新しい無線（ＮＲ：Ｎｅｗ  Ｒａｄｉｏ）又は将来の５Ｇシステムなどに応用されてもよい。
【００２７】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００２８】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。
【００２９】
アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００３０】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例では限定されない。
【００３１】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などを検索してネットワークにアクセスし、それによってネットワークとの通信を行う。図１に示す矢印は端末装置１０とネットワーク装置２０の間のセルラーリンクによるアップリンク／ダウンリンク伝送を表すことができる。
【００３２】
図２は本出願の実施例によるリンク再構成方法１００を示す概略ブロック図である。図２に示すように、該方法１００は以下の部分又は全部の内容を含む。
【００３３】
Ｓ１１０において、第一の信号セットにおける信号の品質が第一の条件を満たすまで不良になっている場合、端末装置は第二の信号セットからターゲット信号を確定し、該ターゲット信号の品質が第二の条件を満たすまで良い。
【００３４】
Ｓ１２０において、該端末装置は該第二の信号セットにおける信号と物理ランダムアクセスチャネル（ＰＲＡＣＨ）シーケンス及び／又はリソースとの関連関係に基づいて、該ターゲット信号に対応するＰＲＡＣＨシーケンス及びリソースを確定する。
【００３５】
Ｓ１３０において、該端末装置は、該ターゲット信号に対応するＰＲＡＣＨシーケンス及び／又はリソースによって、該ネットワーク装置へ第一のリクエストを送信し、該第一のリクエストが、ＵＥによって選択された該ターゲット信号の情報を該ネットワーク装置に通知することに用いられる。
【００３６】
具体的には、端末装置がネットワーク装置から送信されたある信号セットにおける信号を受信した後、端末装置は、該信号セットにおける信号を測定することができ、それによってこれらの信号を伝送するためのリングの品質を判定することができる。つまり、該信号セットにおける信号に用いられる送信ビームが利用可能であるか否かを判定し、例えば、該信号セットにおける信号の品質がある閾値より低いか否かを判定することができ、一回の測定で該信号セットにおける全ての信号の品質が該閾値より低い場合、該信号セットに用いられるビームが利用可能ではないと見なすことができる。端末装置が、該信号セットに用いられる送信ビームが実際には利用可能ではないと判定した場合、端末装置は、他の信号セットから品質が良い信号を選択してネットワーク装置に報告することができ、そのためネットワーク装置は端末装置から報告された信号に用いられる送信ビームを用いて後の信号の伝送を行うことができる。ネットワーク装置は、信号と物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）シーケンス及び／又はリソースとの関連関係を予め配置することができ、そのため端末装置は、選択された信号に基づき、対応するＰＲＡＣＨシーケンス及び／又はリソースを使用することを確定することができ、それによって端末装置は、選択されたＰＲＡＣＨシーケンス及び／又はリソースによって、ネットワーク装置へ端末装置によって選択された信号の情報を送信することができる。ネットワーク装置が、端末装置が選択されたＰＲＡＣＨシーケンス及び／又はリソースによって送信したリクエストを受信した後に、ネットワーク装置は、端末装置によって選択された信号を確定することができ、それによってネットワーク装置は、端末装置から報告された信号に使用される送信ビームを利用して、端末装置へ後の信号を送信することができる。
【００３７】
したがって、本出願の実施例のリンク再構成方法は、信号伝送性能を向上することに役立つ。
【００３８】
選択可能に、ＰＲＡＣＨリソースは一般的に競争に基づく（Ｃｏｎｔｅｎｔｉｏｎ−ｂａｓｅｄ）ＰＲＡＣＨリソースと非競争（Ｃｏｎｔｅｎｔｉｏｎ−ｆｒｅｅ）に基づくＰＲＡＣＨリソースに分けられてもよい。競争に基づくＰＲＡＣＨリソースは、端末装置にとって、一つのリソースプールであり、異なる端末装置が同じリソースを使用できるため、リソースの競争が発生する。非競争に基づくＰＲＡＣＨリソースは、端末装置にとって、専用のものであり、即ちネットワーク装置によってある時点においてある端末装置に排他的に割り当てられてもよい。
【００３９】
本出願の実施例における第一の信号セットと第二の信号セットにおける信号は、チャネル状態情報基準信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、及び／又は、同期信号／物理ブロードキャストチャネル（ＳＳ／ＰＢＣＨ：Ｓｙｎｃｈｒｏｎｉｚａｔｉｏｎ  Ｓｉｇｎａｌ／  Ｐｈｙｓｉｃａｌ  Ｂｒｏａｄｃａｓｔ  Ｃｈａｎｎｅｌ）ブロック（ｂｌｏｃｋ）を含むことができる。
【００４０】
選択可能に、端末装置が第二の信号セットから選択されるターゲット信号が、競争に基づくＰＲＡＣＨリソースのみに関連付けられてもよく、端末装置は、該関連関係に基づいて、ターゲット信号に対応する競争に基づくＰＲＡＣＨリソースを選択し、それによって端末装置は、選択された競争に基づくＰＲＡＣＨリソースによってネットワーク装置へ第一のリクエストを送信することができる。
【００４１】
選択可能に、端末装置が第二の信号セットから選択されたターゲット信号が非競争に基づくＰＲＡＣＨリソースのみに関連付けられてもよく、端末装置は、該関連関係に基づいて、ターゲット信号に対応する非競争に基づくＰＲＡＣＨリソースを選択してネットワーク装置へ第一のリクエストを送信することができる。
【００４２】
選択可能に、端末装置が第二の信号セットから選択されたターゲット信号は、競争に基づくＰＲＡＣＨリソースだけでなく、非競争に基づくＰＲＡＣＨリソースにも関連付けられてもよい場合、端末装置は、以下の４つの方式でネットワーク装置へ第一のリクエストを送信することができる。
【００４３】
１、端末装置は、ターゲット信号に関連付けられた競争に基づくＰＲＡＣＨリソースのみによって、ネットワーク装置へ第一のリクエストを送信することができる。例えば、端末装置が、ターゲット信号に関連付けられた競争に基づくＰＲＡＣＨリソースによってネットワーク装置へ初回目の第一のリクエストを送信し、端末装置が、ある時間窓内でネットワーク装置から返信される該初回目の第一のリクエストの応答を受信していない場合、端末装置は、ターゲット信号に関連付けられた競争に基づくＰＲＡＣＨリソースによってネットワーク装置へ二回目の第一のリクエストを再度送信し、端末装置からネットワークへの該第一のリクエストの送信回数が閾値に達するまで、繰り返すことができる。
【００４４】
２、端末装置はターゲット信号に関連付けられた非競争に基づくＰＲＡＣＨリソースのみによってネットワーク装置へ第一のリクエストを送信することができる。例えば、端末装置が、ターゲット信号に関連付けられた非競争に基づくＰＲＡＣＨリソースによってネットワーク装置へ初回目の第一のリクエストを送信し、端末装置が、ある時間窓内でネットワーク装置から返信される該初回目の第一のリクエストの応答を受信していない場合、端末装置は、ターゲット信号に関連付けられた非競争に基づくＰＲＡＣＨリソースによってネットワーク装置へ二回目の第一のリクエストを再度送信し、端末装置からネットワークへの該第一のリクエストの送信回数が閾値に達するまで繰り返すことができる。
【００４５】
３、該端末装置は、まず該ターゲット信号に関連付けられた競争に基づくＰＲＡＣＨリソースによって第一のリクエストを送信することができ、該端末装置が第一の送信要求を満たし且つ該ネットワーク装置から送信された第一の応答を受信していない場合、該端末装置は、該ターゲット信号に対応する非競争に基づくＰＲＡＣＨリソースによって第一のリクエストを送信し、該第一の応答が、該競争に基づくＰＲＡＣＨリソースによって送信された第一のリクエストに対する応答である。例えば、端末装置は、ターゲット信号に関連付けられた競争に基づくＰＲＡＣＨリソースによって第一のリクエストを連続的に送信することができ、該第一のリクエストの連続的な送信回数が一定の閾値に達する時にも、端末装置が該第一のリクエストの応答を受信していない場合、端末装置は、ターゲット信号に関連付けられた非競争に基づくＰＲＡＣＨリソースによって該第一のリクエストを送信することができる。
【００４６】
４、該端末装置は、まず該ターゲット信号に関連付けられた非競争に基づくＰＲＡＣＨリソースによって第一のリクエストを送信することができ、該端末装置が第二の送信要求を満たし且つ該ネットワーク装置から送信された第一の応答を受信していない場合、該端末装置は、該ターゲット信号に対応する競争に基づくＰＲＡＣＨリソースによって、第一のリクエストを送信し、該第一の応答が、該非競争に基づくＰＲＡＣＨリソースによって送信された第一のリクエストに対する応答である。例えば、端末装置は、ターゲット信号に関連付けられた非競争に基づくＰＲＡＣＨリソースによって第一のリクエストを連続的に送信することができ、該第一のリクエストの連続的な送信回数が一定の閾値に達する時にも、端末装置が該第一のリクエストの応答を受信していない場合、端末装置はターゲット信号に関連付けられた競争に基づくＰＲＡＣＨリソースによって該第一のリクエストを送信することができる。
【００４７】
選択可能に、本出願の実施例における第一の送信要求及び／又は第二の送信要求を満たすことは、端末装置が第一のリクエストを連続的に送信する回数が一定の閾値に達することであってもよく、ここで第一の送信要求の閾値と第二の送信要求の閾値が同じであってもよいし、異なってもよい。
【００４８】
選択可能に、本出願の実施例における第一の送信要求及び／又は第二の送信要求を満たすことは、あるタイマーが期限切れになり、又はあるタイマーがタイムアウトになることであってもよく、ここで第一の送信要求と第二の送信要求のタイマーの時間長が同じであってもよいし、異なってもよい。
【００４９】
選択可能に、ターゲット信号が競争に基づくＰＲＡＣＨリソースと非競争に基づくＰＲＡＣＨリソースの両方に関連付けられる場合、端末装置が第一のリクエストを送信する前に、ネットワーク装置はさらに端末装置へ第一の指示情報を送信することができ、該第一の指示情報が、競争に基づくＰＲＡＣＨリソースを使用して第一のリクエストを送信することを許可しないことを示すことに用いられる。端末装置が該第一の指示情報を受信した後、端末装置はターゲット信号に関連付けられた非競争に基づくＰＲＡＣＨリソースのみを使用して第一のリクエストを送信する。
【００５０】
選択可能に、ターゲット信号が競争に基づくＰＲＡＣＨリソースと非競争に基づくＰＲＡＣＨリソースの両方に関連付けられる場合、端末装置が第一のリクエストを送信する前に、ネットワーク装置はさらに端末装置へ第二の指示情報を送信することができ、該第二の指示情報が、競争に基づくＰＲＡＣＨリソースを使用して第一のリクエストを送信することを許可することを示すことに用いられる。端末装置は、該第二の指示情報を受信した場合のみ、上記１〜４の解決策を採用してネットワーク装置へ該第一のリクエストを送信することができる。
【００５１】
選択可能に、第二の信号セットが部分のＣＳＩ−ＲＳを含むことができ、ネットワーク装置は、関連付けられた競争に基づくＰＲＡＣＨリソースのみを該部分のＣＳＩ−ＲＳに配置することができ、ターゲット信号が該部分のＣＳＩ−ＲＳに属する場合、端末装置はターゲットＣＳＩ−ＲＳに関連付けられた競争に基づくＰＲＡＣＨリソースを使用して第一のリクエストを送信することができ、又は
ネットワーク装置は、関連付けられた非競争に基づくＰＲＡＣＨリソースのみを該部分のＣＳＩ−ＲＳに配置することもでき、ターゲット信号が該部分のＣＳＩ−ＲＳに属する場合、端末装置はターゲットＣＳＩ−ＲＳに関連付けられた非競争に基づくＰＲＡＣＨリソースを使用して第一のリクエストを送信することができ、又は
ネットワーク装置は、さらに関連付けられた競争に基づくＰＲＡＣＨリソースだけでなく、関連付けられた非競争に基づくＰＲＡＣＨリソースを該部分のＣＳＩ−ＲＳに配置することができ、ターゲット信号が該部分のＣＳＩ−ＲＳに属する場合、端末装置は、ターゲットＣＳＩ−ＲＳに関連付けられた競争に基づくＰＲＡＣＨリソース及び／又はターゲットＣＳＩ−ＲＳに関連付けられた非競争に基づくＰＲＡＣＨリソースを使用して第一のリクエストを送信することができ、具体的には、上記１〜４の解決策を採用してネットワーク装置へ第一のリクエストを送信することができる。
【００５２】
選択可能に、第二の信号セットが部分のＳＳ／ＰＢＣＨブロックを含むことができる場合、ネットワーク装置は、関連付けられた競争に基づくＰＲＡＣＨリソースのみを該部分のＳＳ／ＰＢＣＨブロックに配置することができ、又は、ネットワーク装置は関連付けられた競争に基づくＰＲＡＣＨリソースを該部分のＳＳ／ＰＢＣＨブロックに配置しなく、端末装置によってシステムメッセージ又はネットワークメッセージから該部分のＳＳ／ＰＢＣＨブロックと競争に基づくＰＲＡＣＨリソースとの関連関係を取得し、該ターゲット信号が該部分のＳＳ／ＰＢＣＨブロックに属する場合、端末装置はターゲットＳＳ／ＰＢＣＨブロックに関連付けられた競争に基づくＰＲＡＣＨリソースを使用して第一のリクエストを送信することができ、又は
ネットワーク装置は関連付けられた非競争に基づくＰＲＡＣＨリソースのみを該部分のＳＳ／ＰＢＣＨブロックに配置することもでき、ターゲット信号が該部分のＳＳ／ＰＢＣＨブロックに属する場合、端末装置はターゲットＳＳ／ＰＢＣＨブロックに関連付けられた非競争に基づくＰＲＡＣＨリソースを使用して第一のリクエストを送信することができ、又は
ネットワーク装置はさらに関連付けられた競争に基づくＰＲＡＣＨリソースを該部分のＳＳ／ＰＢＣＨブロックに配置し、又は端末装置によってシステムメッセージ又はブロードキャストメッセージから該部分のＳＳ／ＰＢＣＨブロックと競争に基づくＰＲＡＣＨリソースとの関連関係を取得することができ、また、ネットワーク装置は、関連付けられた非競争に基づくＰＲＡＣＨリソースを該部分のＳＳ／ＰＢＣＨブロックに配置することもでき、ターゲット信号が該部分のＳＳ／ＰＢＣＨブロックに属する場合、端末装置は、ターゲットＳＳ／ＰＢＣＨブロックに関連付けられた競争に基づくＰＲＡＣＨリソース及び／又はターゲットＳＳ／ＰＢＣＨブロックに関連付けられた非競争に基づくＰＲＡＣＨリソースを使用して第一のリクエストを送信することができ、具体的には、上記１〜４の解決策を採用してネットワーク装置へ第一のリクエストを送信することができる。
【００５３】
選択可能に、該ターゲット信号がＳＳ／ＰＢＣＨブロックである場合、端末装置はシステムメッセージ又はブロードキャストメッセージから該ＳＳ／ＰＢＣＨブロックと競争に基づくＰＲＡＣＨリソースとの関連関係を取得することができ、ネットワーク装置が非競争に基づくＰＲＡＣＨリソースの関連関係を該ＳＳ／ＰＢＣＨブロックに配置した場合、端末装置は該ＳＳ／ＰＢＣＨブロックに対応する非競争に基づくＰＲＡＣＨリソースを使用して第一のリクエストを送信することができる。言い換えれば、端末装置が既に該ＳＳ／ＰＢＣＨブロックと競争に基づくＰＲＡＣＨリソースとの関連関係を取得した場合でも、端末装置はネットワーク装置によって非競争に基づくＰＲＡＣＨリソースとの関連関係を該ＳＳ／ＰＢＣＨブロックに配置する必要もあり、且つ端末装置はシステムメッセージ又はブロードキャストメッセージから取得された該ＳＳ／ＰＢＣＨブロックと競争に基づくＰＲＡＣＨリソースとの関連関係を使用しなく、端末装置はネットワーク装置によって配置された該ＳＳ／ＰＢＣＨブロックを使用して非競争に基づくＰＲＡＣＨリソースとの関連関係を配置する。
【００５４】
選択可能に、端末装置はターゲット信号に対応するＰＲＡＣＨリソースを確定した後、一つのタイマーを起動でき、該タイマーの時間長内又はタイマーが期限切れになる時に、端末装置が一つの第一のリクエストの応答を受信していない場合、端末装置はネットワーク装置への該第一のリクエストの送信を停止することができる。又は該タイマーの時間長内、即ちタイマーが期限切れになる前に、端末装置が一つの第一のリクエストの応答を受信した場合でも、端末装置はネットワーク装置への該第一のリクエストの送信を停止することができる。又は端末装置からネットワーク装置への第一のリクエストの送信回数が一定の閾値に達する時に、端末装置はネットワーク装置への該第一のリクエストの送信を停止することもできる。
【００５５】
理解すべきものとして、本出願の実施例における以上とはある比較オブジェクトの値の範囲が大きいこと、又は等しいことであってもよく、又は大きく又は等しいことであってもよいことを意味する。例えば、第一のリクエストの回数さえある値に達すれば、第一のリクエストの送信を停止し、又は信号の品質と閾値の比較により、第一の信号セットにおける信号の品質さえある値以上であれば、第二の信号セットからターゲット信号を確定する。
【００５６】
理解すべきものとして、ネットワーク装置で説明されるネットワーク装置と端末装置のインタラクション及び関連特性、機能などが端末装置の関連特性、機能に対応する。そして、関連内容について上記方法１００で詳細に説明され、簡潔にするために、ここでは説明を省略する。
【００５７】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【００５８】
以上に本出願の実施例によるリンク再構成方法を詳細に説明し、以下に図３及び図４と組み合わせて本出願の実施例によるリンク再構成装置を説明し、方法の実施例で説明される技術的特徴が以下の装置の実施例に適用する。
【００５９】
図３は本出願の実施例による端末装置２００を示す概略ブロック図である。図３に示すように、該端末装置２００は、
第一の信号セットにおける信号の品質が第一の条件を満たすまで不良になっている場合、第二の信号セットからターゲット信号を確定するように構成され、該ターゲット信号の品質が第二の条件を満たすまで良い第一の確定ユニット２１０と、
該第二の信号セットにおける信号と物理ランダムアクセスチャネル（ＰＲＡＣＨ）シーケンス及びリソースとの関連関係に基づいて、該ターゲット信号に対応するＰＲＡＣＨシーケンス及び／又はリソースを確定するように構成される第二の確定ユニット２２０と、
該ターゲット信号に対応するＰＲＡＣＨシーケンス及び／又はリソースによって、該ネットワーク装置へ第一のリクエストを送信するように構成され、該第一のリクエストが、該端末装置によって選択された該ターゲット信号の情報を該ネットワーク装置に通知することに用いられる送信ユニット２３０とを備える。
【００６０】
したがって、本出願の実施例における端末装置は、信号伝送性能を向上させることに役立つ。
【００６１】
選択可能に、本出願の実施例では、該ターゲット信号が、競争に基づくＰＲＡＣＨリソースのみに関連付けられ、該送信ユニットは具体的に該ターゲット信号に対応する競争に基づくＰＲＡＣＨリソースによって、該第一のリクエストを送信するように構成される。
【００６２】
選択可能に、本出願の実施例では、該ターゲット信号が非競争に基づくＰＲＡＣＨリソースのみに関連付けられ、該送信ユニットは、具体的に該ターゲット信号に対応する非競争に基づくＰＲＡＣＨリソースによって該第一のリクエストを送信するように構成される。
【００６３】
選択可能に、本出願の実施例では、該ターゲット信号が競争に基づくＰＲＡＣＨリソースに関連付けられ、且つ該ターゲット信号が非競争に基づくＰＲＡＣＨリソースに関連付けられ、該送信ユニットは、具体的に該ターゲット信号に対応する競争に基づくＰＲＡＣＨリソース及び／又は該ターゲット信号に対応する非競争に基づくＰＲＡＣＨリソースによって該第一のリクエストを送信するように構成される。
【００６４】
選択可能に、本出願の実施例では、該送信ユニットは具体的に該ターゲット信号に対応する競争に基づくＰＲＡＣＨリソースによって、第一のリクエストを送信し、第一の送信要求を満たし且つ該ネットワーク装置から送信された第一の応答を受信していない場合、該ターゲット信号に対応する非競争に基づくＰＲＡＣＨリソースによって第一のリクエストを送信するように構成され、該第一の応答が該競争に基づくＰＲＡＣＨリソースによって送信された第一のリクエストに対する応答である。
【００６５】
選択可能に、本出願の実施例では、該送信ユニットは、具体的に該ターゲット信号に対応する非競争に基づくＰＲＡＣＨリソースによって第一のリクエストを送信し、第二の送信要求を満たし且つ該ネットワーク装置から送信された第一の応答を受信していない場合、該ターゲット信号に対応する競争に基づくＰＲＡＣＨリソースによって、第一のリクエストを送信するように構成され、該第一の応答が該非競争に基づくＰＲＡＣＨリソースによって送信された第一のリクエストに対する応答である。
【００６６】
選択可能に、本出願の実施例では、該端末装置は、該送信ユニットが該第一の情報を送信する前に、該ネットワーク装置から送信された第一の指示情報を受信するように構成され、該第一の指示情報が、競争に基づくＰＲＡＣＨリソースを使用して第一のリクエストを送信することを許可しないことを示すことに用いられる第一の受信ユニットをさらに備える。
【００６７】
該送信ユニットは、具体的にターゲット信号に対応する非競争に基づくＰＲＡＣＨリソースのみを使用して該第一のリクエストを送信するように構成される。
【００６８】
選択可能に、本出願の実施例では、該ターゲット信号が同期信号（ＳＳ）／ブロードキャストチャネル（ＰＢＣＨ）ブロックであり、該端末装置は、システムメッセージ又はブロードキャストメッセージから該ＳＳ／ＰＢＣＨブロックと競争に基づくＰＲＡＣＨリソースとの関連関係を取得するように構成される取得ユニットをさらに備える。
【００６９】
該送信ユニットは、具体的に該ＳＳ／ＰＢＣＨブロックに対応する非競争に基づくＰＲＡＣＨリソースによって該第一のリクエストを送信するように構成される。
【００７０】
選択可能に、本出願の実施例では、該端末装置が該第一のリクエストを送信する前に、該端末装置は、該送信ユニットが該第一の情報を送信する前に、該ネットワーク装置から送信された第二の指示情報を受信するように構成され、該第二の指示情報が、競争に基づくＰＲＡＣＨリソースを使用して第一のリクエストを送信することを許可することを示すことに用いられる第二の受信ユニットをさらに備える。
【００７１】
選択可能に、本出願の実施例では、該第二の信号セットはチャネル状態情報基準信号（ＣＳＩ−ＲＳ）、及び／又は同期信号（ＳＳ）／ブロードキャストチャネル（ＰＢＣＨ）ブロックを含む。
【００７２】
選択可能に、本出願の実施例では、該第二の信号セットがＣＳＩ−ＲＳを含み、該端末装置は、該ネットワーク装置から送信された第一の配置情報を受信するように構成され、該第一の配置情報が該第二の信号セットにおける少なくとも部分のＣＳＩ−ＲＳと競争に基づくＰＲＡＣＨリソースとの関連関係、及び／又は、該第二の信号セットにおける少なくとも部分のＣＳＩ−ＲＳと非競争に基づくＰＲＡＣＨリソースとの関連関係を示すことに用いられる第三の受信ユニットをさらに備える。
【００７３】
選択可能に、本出願の実施例では、該第二の信号セットがＳＳ／ＰＢＣＨブロックを含み、該端末装置は、該ネットワーク装置から送信された第二の配置情報を受信するように構成され、該第二の配置情報が該第二の信号セットにおける少なくとも部分のＳＳ／ＰＢＣＨブロックと非競争に基づくＰＲＡＣＨリソースとの関連関係、及び／又は、該第二の信号セットにおける少なくとも部分のＳＳ／ＰＢＣＨブロックと競争に基づくＰＲＡＣＨリソースとの関連関係を示すことに用いられる第四の受信ユニットをさらに備える。
【００７４】
選択可能に、本出願の実施例では、該端末装置は、システムメッセージ又はブロードキャストメッセージから該第二の信号セットにおける少なくとも部分のＳＳ／ＰＢＣＨブロックと競争に基づくＰＲＡＣＨリソースとの関連関係を取得するように構成される第二の取得ユニットをさらに備える。
【００７５】
選択可能に、本出願の実施例では、該端末装置は、第一のタイマーが期限切れになり且つ該ネットワーク装置から送信される該第一のリクエストの応答を受信していない場合、該ネットワーク装置への該第一のリクエストの送信を停止するように構成される第一の処理ユニットをさらに備える。
【００７６】
選択可能に、本出願の実施例では、該端末装置は、第一のタイマーが期限切れになる前に、該ネットワーク装置から送信される該第一のリクエストの応答を受信した場合、該ネットワーク装置への該第一のリクエストの送信を停止するように構成される第二の処理ユニットをさらに備える。
【００７７】
選択可能に、本出願の実施例では、該端末装置は、該ネットワーク装置への該第一のリクエストの送信回数が第一の閾値以上である場合、該ネットワーク装置への該第一のリクエストへの送信を停止するように構成される第三の処理ユニットをさらに備える。
【００７８】
理解すべきものとして、本出願の実施例による端末装置２００は本出願の方法の実施例における端末装置に対応してもよく、且つ端末装置２００の各ユニットの上記と他の操作及び／又は機能はそれぞれ図２の方法における端末装置の対応するプロセスを実現するためのものであり、簡潔するために、ここでは説明を省略する。
【００７９】
図４に示すように、本出願の実施例はさらに図２の方法１００に対応する端末装置のコンテンツを実行することに用いられてもよい図３の端末装置３００とすることができる端末装置３００を提供する。該端末装置３００は、入力インタフェース３１０、出力インタフェース３２０、プロセッサ３３０及びメモリ３４０を備え、該入力インタフェース３１０、出力インタフェース３２０、プロセッサ３３０とメモリ３４０がバスシステムを介して接続されてもよい。該メモリ３４０はプログラム、命令又はコードを記憶するように構成される。該プロセッサ３３０は、該メモリ３４０でのプログラム、命令又はコードを実行して、信号を受信するように入力インタフェース３１０を制御し、信号を送信するように出力インタフェース３２０を制御し、上記方法の実施例における操作を完了するように構成される。
【００８０】
したがって、本出願の実施例における端末装置は、信号伝送性能を向上させることに役立つ。
【００８１】
理解すべきものとして、本発明の実施例では、該プロセッサ３３０は中央処理ユニット（ＣＰＵ：Ｃｅｎｔｒａｌ  Ｐｒｏｃｅｓｓｉｎｇ  Ｕｎｉｔ）であってもよく、該プロセッサ３３０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【００８２】
該メモリ３４０は読み取り専用メモリとランダムアクセスメモリを含み、そしてプロセッサ３３０へ命令とデータを提供することができる。メモリ３４０の一部はさらに不揮発性ランダムアクセスメモリを含むことができる。例えば、メモリ３４０はさらに装置タイプの情報を記憶することができる。
【００８３】
実施プロセスでは、上記方法の各内容は、プロセッサ３３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ３４０に位置し、プロセッサ３３０はメモリ３４０における情報を読み取り、そのハードウェアと組み合わせて上記方法の内容を完了する。繰り返しを回避するために、ここでは詳細な説明を省略する。
【００８４】
一つの具体的な実施形態では、端末装置２００における確定ユニット、取得ユニットと処理ユニットは、図４におけるプロセッサ３３０によって実現されてもよく、端末装置２００の受信ユニットは図４における入力インタフェース３１０によって実現されてもよい。端末装置２００の送信ユニットは図４における出力インタフェース３２０によって実現されてもよい。
【００８５】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【００８６】
当業者は、便利及び簡潔に説明するために、上述したシステム、装置及びユニットの具体的な動作プロセスについて、上記方法の実施例における対応するプロセスを参照でき、ここで説明を省略することを明確に理解することができる。
【００８７】
本出願が提供する、いくつかの実施例では、開示されるシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【００８８】
分離部材として説明される該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの部分又は全てのユニットを選択して本実施例の解決策の目的を達成することができる。
【００８９】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【００９０】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は部分のステップを実行させるためのいくつかの命令を含む、記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【００９１】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は請求項の保護範囲に準拠するべきである。
【手続補正２】
【補正対象書類名】特許請求の範囲
【補正対象項目名】全文
【補正方法】変更
【補正の内容】
【特許請求の範囲】
【請求項１】
リンク再構成方法であって、
ビーム障害が発生した場合、端末装置が、第二の信号セットからターゲット信号を確定し、前記ビーム障害が、第一の信号セットにおける信号の品質が第一の条件を満たすことを含み、前記第一の条件が、前記信号の品質が閾値より不良であり、且つ前記ターゲット信号の品質が第二の条件を満たすまで良いことを含むことと、
前記端末装置が、前記第二の信号セットにおける信号と物理ランダムアクセスチャネル（ＰＲＡＣＨ）シーケンス及びリソースとの関連関係に基づいて、前記ターゲット信号に対応するＰＲＡＣＨシーケンス及びリソースを確定することと、
前記端末装置が、前記ターゲット信号に対応するＰＲＡＣＨシーケンス及びリソースによって、前記ネットワーク装置へ第一のリクエストを送信し、前記第一のリクエストが、前記端末装置によって選択された前記ターゲット信号の情報を前記ネットワーク装置に通知することに用いられることとを含む、前記リンク再構成方法。
【請求項２】
前記ターゲット信号が、競争に基づくＰＲＡＣＨリソースのみに関連付けられている場合、前記端末装置が前記ターゲット信号に対応するＰＲＡＣＨシーケンス及びリソースによって、前記ネットワーク装置へ第一のリクエストを送信することは、
前記端末装置が、前記ターゲット信号に対応する前記競争に基づくＰＲＡＣＨリソースによって、前記第一のリクエストを送信することを含み、
前記ターゲット信号が非競争に基づくＰＲＡＣＨリソースのみに関連付けられている場合、前記端末装置が前記ターゲット信号に対応するＰＲＡＣＨリソースによって前記ネットワーク装置へ第一のリクエストを送信することは、
前記端末装置が、前記ターゲット信号に対応する前記非競争に基づくＰＲＡＣＨリソースによって前記第一のリクエストを送信することを含み、
前記ターゲット信号が前記競争に基づくＰＲＡＣＨリソースに関連付けられており、且つ前記ターゲット信号が前記非競争に基づくＰＲＡＣＨリソースに関連付けられている場合、前記端末装置が前記ターゲット信号に対応するＰＲＡＣＨシーケンス及びリソースによって、前記ネットワーク装置へ第一のリクエストを送信することは、
前記端末装置が、前記ターゲット信号に対応する前記非競争に基づくＰＲＡＣＨリソースによって前記第一のリクエストを送信することを含むことを特徴とする
請求項１に記載の方法。
【請求項３】
前記ターゲット信号が同期信号（ＳＳ）／ブロードキャストチャネル（ＰＢＣＨ）ブロックであり、該方法はさらに、
前記端末装置が、システムメッセージから前記ＳＳ／ＰＢＣＨブロックと前記競争に基づくＰＲＡＣＨリソースとの関連関係を取得することを含み、
前記端末装置が前記ターゲット信号に対応する非競争に基づくＰＲＡＣＨリソースによって前記第一のリクエストを送信することは、
前記端末装置が、前記ＳＳ／ＰＢＣＨブロックに対応する非競争に基づくＰＲＡＣＨリソースによって前記第一のリクエストを送信することを含むことを特徴とする
請求項２に記載の方法。
【請求項４】
前記第二の信号セットが、チャンセル状態情報基準信号（ＣＳＩ−ＲＳ）、及び／又は同期信号（ＳＳ）／ブロードキャストチャネル（ＰＢＣＨ）ブロックを含むことを特徴とする
請求項１−３のいずれか一項に記載の方法。
【請求項５】
前記第二の信号セットがＣＳＩ−ＲＳを含む場合、前記方法はさらに、
前記端末装置が、前記ネットワーク装置から送信された第一の配置情報を受信し、前記第一の配置情報が、前記第二の信号セットにおける少なくとも部分のＣＳＩ−ＲＳと非競争に基づくＰＲＡＣＨリソースとの関連関係を示すことに用いられることを含み、及び／又は
前記第二の信号セットがＳＳ／ＰＢＣＨブロックを含む場合、前記方法はさらに、
前記端末装置が、前記ネットワーク装置から送信された第二の配置情報を受信し、前記第二の配置情報が、前記第二の信号セットにおける少なくとも部分のＳＳ／ＰＢＣＨブロックと非競争に基づくＰＲＡＣＨリソースとの関連関係を示すことに用いられることを含むことを特徴とする
請求項４に記載の方法。
【請求項６】
前記方法はさらに、
前記端末装置が、システムメッセージから、前記第二の信号セットにおける少なくとも部分のＳＳ／ＰＢＣＨブロックと競争に基づくＰＲＡＣＨリソースとの関連関係を取得することを含むことを特徴とする
請求項４−５のいずれか一項に記載の方法。
【請求項７】
前記方法はさらに、
第一のタイマーが期限切れになる前に、前記端末装置が前記ネットワーク装置から送信される前記第一のリクエストの応答を受信した場合、前記端末装置が、前記ネットワーク装置への前記第一のリクエストの送信を停止することをさらに含み、又は、
前記方法はさらに、
前記端末装置から前記ネットワーク装置への前記第一のリクエストの送信回数が第一の閾値以上である場合、前記端末装置が、前記ネットワーク装置への前記第一のリクエストの送信を停止することを含むことを特徴とする
請求項１−６のいずれか一項に記載の方法。
【請求項８】
端末装置であって、
ビーム障害が発生した場合、第二の信号セットからターゲット信号を確定するように構成され、前記ビーム障害が、第一の信号セットにおける信号の品質が第一の条件を満たすことを含み、前記第一の条件が、前記信号の品質が閾値より不良であり、且つ該ターゲット信号の品質が第二の条件を満たすまで良いことを含む第一の確定ユニットと、
前記第二の信号セットにおける信号と物理ランダムアクセスチャネル（ＰＲＡＣＨ）シーケンス及びリソースとの関連関係に基づいて、前記ターゲット信号に対応するＰＲＡＣＨシーケンス及びリソースを確定するように構成される第二の確定ユニットと、
前記ターゲット信号に対応するＰＲＡＣＨシーケンス及びリソースによって、前記ネットワーク装置へ第一のリクエストを送信するように構成され、前記第一のリクエストが、前記端末装置によって選択された前記ターゲット信号の情報を前記ネットワーク装置に通知することに用いられる送信ユニットとを備える、前記端末装置。
【請求項９】
前記ターゲット信号が、競争に基づくＰＲＡＣＨリソースのみに関連付けられている場合、前記送信ユニットは具体的に、
前記ターゲット信号に対応する前記競争に基づくＰＲＡＣＨリソースによって、前記第一のリクエストを送信するように構成され、
前記ターゲット信号が非競争に基づくＰＲＡＣＨリソースのみに関連付けられている場合、前記送信ユニットは具体的に、
前記ターゲット信号に対応する前記非競争に基づくＰＲＡＣＨリソースによって前記第一のリクエストを送信するように構成され、
前記ターゲット信号が前記競争に基づくＰＲＡＣＨリソースに関連付けられており、且つ前記ターゲット信号が前記非競争に基づくＰＲＡＣＨリソースに関連付けられている場合、前記送信ユニットは具体的に、
前記ターゲット信号に対応する前記非競争に基づくＰＲＡＣＨリソースによって前記第一のリクエストを送信するように構成されることを特徴とする
請求項８に記載の端末装置。
【請求項１０】
前記ターゲット信号が同期信号（ＳＳ）／ブロードキャストチャネル（ＰＢＣＨ）ブロックであり、前記端末装置は、
システムメッセージから前記ＳＳ／ＰＢＣＨブロックと前記競争に基づくＰＲＡＣＨリソースとの関連関係を取得するように構成される取得ユニットをさらに備え、
前記送信ユニットは具体的に、
前記ＳＳ／ＰＢＣＨブロックに対応する非競争に基づくＰＲＡＣＨリソースによって前記第一のリクエストを送信するように構成されることを特徴とする
請求項９に記載の端末装置。
【請求項１１】
前記第二の信号セットが、チャンセル状態情報基準信号（ＣＳＩ−ＲＳ）、及び／又は同期信号（ＳＳ）／ブロードキャストチャネル（ＰＢＣＨ）ブロックを含むことを特徴とする
請求項８−１０のいずれか一項に記載の端末装置。
【請求項１２】
前記第二の信号セットがＣＳＩ−ＲＳを含み、前記端末装置は、
前記ネットワーク装置から送信された第一の配置情報を受信するように構成され、前記第一の配置情報が、前記第二の信号セットにおける少なくとも部分のＣＳＩ−ＲＳと非競争に基づくＰＲＡＣＨリソースとの関連関係を示すことに用いられる第三の受信ユニットをさらに備えることを特徴とする
請求項１１に記載の端末装置。
【請求項１３】
前記第二の信号セットがＳＳ／ＰＢＣＨブロックを含み、前記端末装置は、
前記ネットワーク装置から送信された第二の配置情報を受信するように構成され、前記第二の配置情報が、前記第二の信号セットにおける少なくとも部分のＳＳ／ＰＢＣＨブロックと非競争に基づくＰＲＡＣＨリソースとの関連関係を示すことに用いられる第四の受信ユニットをさらに備えることを特徴とする
請求項１１又は１２に記載の端末装置。
【請求項１４】
前記端末装置は、
システムメッセージから、前記第二の信号セットにおける少なくとも部分のＳＳ／ＰＢＣＨブロックと競争に基づくＰＲＡＣＨリソースとの関連関係を取得するように構成される第二の取得ユニットをさらに備えることを特徴とする
請求項１１−１３のいずれか一項に記載の端末装置。
【請求項１５】
前記端末装置は、
第一のタイマーが期限切れになる前に、前記ネットワーク装置から送信される前記第一のリクエストの応答を受信した場合、前記ネットワーク装置への前記第一のリクエストの送信を停止するように構成される第二の処理ユニットをさらに備え、又は、
前記端末装置は、
前記ネットワーク装置への前記第一のリクエストの送信回数が第一の閾値以上である場合、前記ネットワーク装置への前記第一のリクエストの送信を停止するように構成される第三の処理ユニットをさらに備えることを特徴とする
請求項８−１４のいずれか一項に記載の端末装置。
【国際調査報告】
2021516887.tif 000007
2021516887.tif 000008